(57)【要約】回線交換フォールバック（ＣＳＦＢ）中にパケット交換（ＰＳ）サービスを提供するためのシステムおよび／または方法が開示されるものとする。例えば、ＰＳトラフィックは、ＣＳ通話中にＣＳＦＢのためにＷｉＦｉを通じて（例えばＬＴＥから）オフロードされることが可能であり、ＰＳセッションが、ＣＳ音声通話中にＷｉＦｉで少なくとも同時に維持されるようにすることができる。オフロードは、タイマが満了した後、停止されることが可能である。
2016502783.tif 000002
【特許請求の範囲】
【請求項１】
回線交換コールバック（ＣＳＦＢ）中にパケット交換（ＰＳ）サービスを提供するための無線送信／受信ユニット（ＷＴＲＵ）であって、
ネットワークにおけるＤＴＭまたはＰＳハンドオーバ（ＰＳ  ＨＯ）サポートのないＧＥＲＡＮへのＣＳＦＢ中に、
前記ネットワークを通じたＣＳ音声通話の間、ＰＳセッションのためのトラフィックをＷｉＦｉ接続にオフロードして、前記ＰＳセッションが前記ネットワークを通じた前記ＣＳ音声通話の間ＷｉＦｉで維持されるようにする
ように構成されたプロセッサを備えることを特徴とするＷＴＲＵ。
【請求項２】
前記プロセッサは、タイマが満了した後に前記ＷｉＦｉ接続に前記ＰＳセッションをオフロードすることを停止するようにさらに構成されることを特徴とする請求項１に記載のＷＴＲＵ。
【請求項３】
ＰＳセッションのための前記トラフィックの少なくとも一部は、前記ＣＳ音声通話が終了した後に前記ＷｉＦｉ接続にオフロードされたままであることを特徴とする請求項１に記載のＷＴＲＵ。
【請求項４】
前記プロセッサは、前記ＰＳセッションのための前記トラフィックを前記ＷｉＦｉ接続にオフロードする指示を受信するようにさらに構成されることを特徴とする請求項１に記載のＷＴＲＵ。
【請求項５】
前記指示は、前記ＣＳ音声通話に応じるものであることを特徴とする請求項１に記載のＷＴＲＵ。
【請求項６】
前記指示は、拡張サービス要求（ＥＳＲ）に応じるものであることを特徴とする請求項１に記載のＷＴＲＵ。
【請求項７】
前記ＰＳセッションは、前記ＷｉＦｉを用いた信号強度が閾値未満に低下するとき、別のネットワークにオフロードされるようにさらに構成されることを特徴とする請求項１に記載のＷＴＲＵ。
【請求項８】
前記ＰＳセッションのアクティブＮＡＳコンテキストは、前記オフロード中に前記ネットワークで維持されることを特徴とする請求項１に記載のＷＴＲＵ。
【請求項９】
回線交換コールバック（ＣＳＦＢ）中にパケット交換（ＰＳ）サービスを提供するための無線送信／受信ユニット（ＷＴＲＵ）であって、
ネットワークにおけるＤＴＭまたはＰＳハンドオーバ（ＰＳ  ＨＯ）サポートのないＧＥＲＡＮへのＣＳＦＢ中に、
前記ネットワークを通じたＣＳ音声通話の間、ＰＳセッションのためのトラフィックをＷｉＦｉ接続にオフロードして、前記ＰＳセッションが前記ネットワークを通じた前記ＣＳ音声通話の間ＷｉＦｉで維持されるようにし、
タイマが満了した後、前記ＷｉＦｉ接続に前記ＰＳセッションをオフロードすることを停止する
ように構成されたプロセッサを備えることを特徴とするＷＴＲＵ。
【請求項１０】
前記プロセッサは、前記ＰＳセッションのための前記トラフィックを前記ＷｉＦｉ接続にオフロードする指示を受信するようにさらに構成されることを特徴とする請求項９に記載のＷＴＲＵ。
【請求項１１】
前記指示は、前記ＣＳ音声通話に応じるものであることを特徴とする請求項９に記載のＷＴＲＵ。
【請求項１２】
前記指示は、拡張サービス要求（ＥＳＲ）に応じるものであることを特徴とする請求項９に記載のＷＴＲＵ。
【請求項１３】
前記ＰＳセッションは、前記ＷｉＦｉを用いた信号強度が閾値未満に低下するとき、別のネットワークにオフロードされるようにさらに構成されることを特徴とする請求項９に記載のＷＴＲＵ。
【請求項１４】
前記ＰＳセッションのアクティブＮＡＳコンテキストは、前記オフロード中に前記ネットワークで維持されることを特徴とする請求項９に記載のＷＴＲＵ。
【請求項１５】
回線交換コールバック（ＣＳＦＢ）中にパケット交換（ＰＳ）サービスを提供するための無線送信／受信ユニット（ＷＴＲＵ）であって、
ネットワークでＰＳセッションを確立する、
前記ＰＳセッションのためのトラフィックをＷｉＦｉ接続にオフロードする指示を受信する、
前記ネットワークを通じたＣＳ音声通話の間、前記ＰＳセッションのためのトラフィックを前記ＷｉＦｉ接続にオフロードして、前記ＰＳセッションが前記ネットワークを通じた前記ＣＳ音声通話の間ＷｉＦｉで少なくとも同時に維持されるようにする
ように構成されたプロセッサを備えることを特徴とするＷＴＲＵ。
【請求項１６】
前記ＰＳセッションのアクティブＮＡＳコンテキストは、前記オフロード中に前記ネットワークで維持されることを特徴とする請求項１５に記載のＷＴＲＵ。
【請求項１７】
前記指示は、前記ＣＳ音声通話に応じるものであることを特徴とする請求項１５に記載のＷＴＲＵ。
【請求項１８】
前記指示は、拡張サービス要求（ＥＳＲ）に応じるものであることを特徴とする請求項１５に記載のＷＴＲＵ。
【請求項１９】
前記ＰＳセッションは、前記ＷｉＦｉを用いた信号強度が閾値未満に低下するとき、別のネットワークにオフロードされるようにさらに構成されることを特徴とする請求項１５に記載のＷＴＲＵ。
【請求項２０】
前記プロセッサは、タイマが満了した後に前記ＷｉＦｉ接続に前記ＰＳセッションをオフロードすることを停止するようにさらに構成されることを特徴とする請求項１５に記載のＷＴＲＵ。
【発明の詳細な説明】
【技術分野】
【０００１】
本発明は、回線交換フォールバック（ＣＳＦＢ）中のパケット交換サービスを改善するためのシステムおよび／または方法に関する。
【背景技術】
【０００２】
本出願は、その内容を参照により本明細書に組み込まれている、２０１２年１０月２６日に出願された米国特許仮出願第６１／７１９，３２９号の利益を主張する。
【０００３】
今日、ワイヤレス通信システムにおいてデバイスを使用した音声通信または通話は、ＩＰベースの技法またはドメイン、回線交換（ＣＳ）ベースの技法またはドメインを含む、様々な技法またはドメインを使用して得られる。現在、デバイスを使用してこのような音声通信または通話を開始するには、システム間の変更を実行して、そのデバイスを、例えば、データ通信に使用することができるパケット交換（ＰＳ）サービスまたはセッションからＣＳベースのドメインまたはサービスなどのドメインまたはサービスへ切り換えることができる（例えば、ＬＴＥ（Long Term Evolution）などのＰＳドメインからＵＴＲＡＮ、ＧＥＲＡＮ、ＣＤＭＡなどのＣＳドメインへ）。このようなシステム間の変更を、ＰＳハンドオーバ（ＨＯ）を用いてまたはＰＳ  ＨＯを用いずに、実現することができる。いずれの場合においても、デバイス上のＰＳセッションは中断され、その結果、デバイスを操作中のユーザの体験に悪影響を及ぼす。例えば、ユーザが、ユーザのデバイスにより別の人に実際に電話をかけて、記事、ニュースイベント、またはインターネット投稿について話すことがある。通話中ユーザは、その記事、ニュースイベント、またはインターネット投稿を含むウェブページから直接読みながら、この別の人と話すことを望むことがある。このように、たとえユーザが通話でウェブコンテンツについて話すことを望んでいても、ＰＳセッションをＣＳ通話が終わるまで中断することがあるので、ユーザはそうすることができない。このように、ＰＳセッションおよびＣＳセッションを同時に行うことはできないことがある。付加的な技法を使用して、ＰＳ  ＨＯが成功した後に、同時にＰＳセッションおよびＣＳセッションを可能にすることができる（例えば、ＬＴＥからＵＴＲＡＮへの、および／またはＵＴＲＡＮへのリダイレクション後の）。残念ながら、デバイスのＰＳセッションは、このような技法を使用してもやはり中断される場合があり、このような中断は、（例えば、もし、位置エリア更新手続または方法が最初に行われる場合）可能性が高い。
【発明の概要】
【０００４】
回線交換フォールバック（ＣＳＦＢ）中にパケット交換（ＰＳ）サービスを提供するおよび／または改善するためのシステムおよび／または方法が開示されるものとする。例えば、ネットワークにおけるＤＴＭまたはＰＳハンドオーバ（ＰＳ  ＨＯ）サポートのないＧＥＲＡＮへのＣＳＦＢの間、デバイスは、ネットワークを通じてＣＳ音声通話中にＰＳセッションのトラフィックをＷｉＦｉ接続にオフロードすることができ、ＰＳセッションを、ネットワークを通じてＣＳ音声通話中にＷｉＦｉ上で維持することができる。例として、デバイスは、タイマが満了した後にＷｉＦｉ接続上でＰＳセッションのオフロードを停止することができる。さらに、一実施形態では、ＣＳ音声通話が終了した後に、ＰＳセッションのトラフィックの少なくとも一部を、ＷｉＦｉ接続にオフロードすることができる（例えば、オフロードがＣＳ音声通話よりも前に行われることがある場合）。デバイスは、ＰＳセッションのためのトラフィックをＷｉＦｉ接続にオフロードする指示（indication）を受け取ることができる。指示は、ＣＳ音声通話、拡張サービス要求（ＥＳＲ）、ＮＡＳメッセージなどに応じたものとすることができる。一例では、ＰＳセッションを、ＣＳ音声通話中に別のネットワークにオフロードすることができる（例えば、ＷｉＦｉでの信号強度が閾値未満に低下することがあるとき）。さらに、ＰＳセッションのためのアクティブＮＡＳコンテキストを、オフロード中にネットワークで維持することができる。
【０００５】
この概要により、以下の発明を実施するための形態でさらに説明する概念の抜粋を簡略化して紹介する。この概要は、特許請求の範囲に記載する主題の主要な特徴または本質的特徴を特定することを目的とせず、さらに特許請求の範囲に記載する主題の範囲を限定するように使用されることを目的としない。さらに、特許請求の範囲に記載される主題は、本開示のいずれかの部分に記載される一部またはすべての不利点を解決するいかなる制限事項にも制限されない。
【図面の簡単な説明】
【０００６】
一例として添付の図面と併せて行われる次の説明から、本明細書に開示される実施形態のより詳細な理解が得られよう。
【０００７】
【図１Ａ】１または複数の開示される実施形態を実装することができる例示的通信システムのシステム図である。
【図１Ｂ】図１Ａに示す通信システム内で使用することができる例示的無線送信／受信ユニット（ＷＴＲＵ）のシステム図である。
【図１Ｃ】図１Ａに示す通信システム内で使用することができる例示的無線アクセスネットワークおよび例示的コアネットワークのシステム図である。
【図１Ｄ】図１Ａに示す通信システム内で使用することができる別の例示的無線アクセスネットワークおよび例示的コアネットワークのシステム図である。
【図１Ｅ】図１Ａに示す通信システム内で使用することができる別の例示的無線アクセスネットワークおよび別の例示的コアネットワークのシステム図である。
【図２】ＰＳ  ＨＯを用いたＣＳＦＢの例示的実施形態を示す図である。
【図３】ＲＲＣ接続解放を用いたＣＳＦＢの例示的実施形態を示す図である。
【図４】トラフィックオーバーロードのためのｅＮＢおよびＷｉＦｉ網間接続の例示的実施形態を示す図である。
【図５】重なっているＥ−ＵＴＲＡＮおよびＧＥＲＡＮ／ＵＴＲＡＮカバレッジの例示的実施形態を示す図である。
【図６】ＣＳＦＢ中にＷｉＦｉオフロードを行うための方法または手続きの例示的実施形態を示す図である。
【発明を実施するための形態】
【０００８】
次に、様々な図を参照して、例示の実施形態の詳細な説明を述べる。この説明は、可能な実行の詳細な例を提供するが、詳細は、例示とするものであり、出願の範囲を決して制限するものではないことに留意すべきである。
【０００９】
回線交換フォールバック（ＣＳＦＢ）中のパケット交換（ＰＳ）サービスを提供するおよび／または改善するためのシステムおよび／または方法（例えば、ＵＥ、ＷＴＲＵ、またはデバイス）が提供されるものとする。このようなシステムおよび／または方法では、ＷｉＦｉを、ＣＳＦＢのためにオフロードすることがある（例えば、ＯＤＣと呼ばれることがある）。例えば、ＰＳトラフィックを、ＣＳＦＢを実行できるとき、ＷｉＦｉを通じてオフロードすることができる。これにより、ＵＥおよび／またはＷＴＲＵのようなデバイス、および／またはユーザ（例えばＵＥ／ユーザ）が、進行中のＰＳセッションを中断せずに継続することができる。これを可能にするには、および／またはその結果、次のうちの１または複数（例えば変更）を提供し、および／または使用することができる。加入情報（例えば、新しい加入情報）を提供して、および／または使用して、このサービスがユーザに許可されてもよいかどうかを明言する。さらに、デバイスを、アクセスポイント（ＡＰ）と関連付けることができ、および／またはＣＳＦＢ要求が送信されるとき、デバイスが識別されたＡＰと関連付けられたことを、ネットワーク（例えば、ｅＮＢおよび／またはＭＭＥ）に示すことができる。これは、ＡＰと関連付けるための、さらに関連付けについてネットワークに示すためのトリガ（例えば、新しいトリガ）を定義することができる。ＵＥは、ＵＥポリシー、例えばＣＳＦＢ要求ごとのユーザ介入、および／またはＵＥが関連付けられている各ＡＰおよび／またはＣＳＧについてＯＤＣを示すことができる１または複数の構成に基づいてＯＤＣを使用する場合に、システムに示すことができる。ＭＭＥも、加入情報および／またはＵＥ指示に基づいてＯＤＣを行うことを決定することができる。このような実施形態では、指示および／またはメッセージ（例えば、新しい指示および／またはメッセージ）を提供し、および／または使用して、ｅＮＢに通知し、ＯＤＣを実行することができる。加えて（例えば、行われる場合は）、ＭＭＥは、ＵＥがＥ−ＵＴＲＡの下にあり、ＭＭＥがＯＤＣの間セッション管理要求を遅らせるかのように、ＵＥのコンテキストを維持することができる。あるいは、ＭＭＥは、ネットワークベースのセッション管理要求を受け入れることができ、ｅＮＢおよびＳＧＷにベアラを変更するよう通知することができ、および／またはＬＴＥへの復帰後にＵＥとの対応するＮＡＳシグナリングを行うことができる。ｅＮＢもまた、ＯＤＣのサポートを一斉送信することができる。さらに、ｅＮＢは、ＭＭＥ指示、ＵＥ／デバイス指示、および／またはターゲットシステムにＰＳ  ＨＯまたはＤＴＭのサポートがないことを知ることなど、いくつかのトリガに基づいてＯＤＣを行うことを決定することができる。加えて、ＯＤＣの使用を示すｅＮＢからＵＥへのコマンド（例えば、新しいコマンド）、およびＯＤＣがアクティブであることを示すＭＭＥへのＳ１ＡＰメッセージ（例えば、新しいＳ１ＡＰメッセージ）を提供し、および／または使用することができる。このような実施形態では、これによりＭＭＥをトリガして、ＵＥがＥＭＭ−ＣＯＮＮＥＣＴＥＤモードであることを考慮させる。たとえデバ���スがＣＳドメインにアクセスしている可能性があっても、デバイスは、そのＬＴＥ／ＲＲＣ構成を引き続き維持することができ、ＷｉＦｉ  ＡＰを通じてデータを受信しおよび／または送信することができる。信号強度が低下し始めた場合、デバイスは、ＧＥＲＡＮ／ＵＴＲＡＮのＰＳドメインにアクセスすることができ、ＳＧＳＮに対してＯＤＣがアクティブであったことを示すことができる。これによりＳＧＳＮをトリガして、ＧＥＲＡＮ／ＵＴＲＡＮを通じてＰＳセッションを再開させることができる。ＳＧＳＮはさらに、ｅＮＢにＯＤＣを停止するよう通知するためのＳ１ＡＰメッセージ（例えば、新しいＳ１ＡＰメッセージ）を使用することができるＭＭＥに通知することができる。
【００１０】
図１Ａは、１または複数の開示される実施形態を実行することができる例示的通信システム１００の図を示す。通信システム１００は、音声、データ、映像、メッセージング、一斉送信などのコンテンツを、複数のワイヤレスユーザに提供する多元接続（multiple access）システムとすることができる。通信システム１００は、複数のワイヤレスユーザがワイヤレス帯域幅を含むシステムリソースの共有によってこのようなコンテンツにアクセスすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）など、１つまたは複数のチャネルアクセス方法を使用することができる。
【００１１】
図１Ａに示すように、通信システム１００は、無線送信／受信ユニット（ＷＴＲＵ）１０２ａ、１０２ｂ、１０２ｃ、および／または１０２ｄ（これらは概してまたはまとめてＷＴＲＵ１０２と呼ばれることがある）、無線アクセスネットワーク（ＲＡＮ）１０３／１０４／１０５、コアネットワーク１０６／１０７／１０９、公衆交換電話網（ＰＳＴＮ）１０８、インターネット１１０、およびその他のネットワーク１１２を含むことができるが、開示する実施形態は、いかなる数のＷＴＲＵ、基地局、ネットワーク、および／またはネットワーク要素についても検討することは理解されよう。ＷＴＲＵ１０２ａ、１０２ｂ、１０２ｃ、および／または１０２ｄのそれぞれは、無線環境で動作するおよび／または通信するように構成されたいかなるタイプのデバイスとすることができる。一例として、ＷＴＲＵ１０２ａ、１０２ｂ、１０２ｃ、および／または１０２ｄは、無線信号を送信および／または受信するように構成されることが可能であり、ユーザ機器（ＵＥ）、移動局、固定または移動加入者ユニット、ページャ、携帯電話、携帯情報端末（ＰＤＡ）、スマートフォン、ラップトップ、ネットブック、パーソナルコンピュータ、ワイヤレスセンサ、家庭用電化製品などを含むことができる。
【００１２】
通信システム１００は、基地局１１４ａおよび基地局１１４ｂを含むことができる。基地局１１４ａ、１１４ｂのそれぞれは、ＷＴＲＵ１０２ａ、１０２ｂ、１０２ｃ、および／または１０２ｄの少なくとも１つと無線でインタフェースし、コアネットワーク１０６／１０７／１０９、インターネット１１０、および／またはネットワーク１１２などの、１または複数の通信ネットワークへのアクセスを容易にするように構成されたいかなるタイプのデバイスとすることもできる。一例として、基地局１１４ａおよび／または１１４ｂは、無線基地局（ＢＴＳ）、Ｎｏｄｅ−Ｂ、ｅＮｏｄｅ−Ｂ、Ｈｏｍｅ  Ｎｏｄｅ−Ｂ、Ｈｏｍｅ  ｅＮｏｄｅ−Ｂ、サイトコントローラ、アクセスポイント（ＡＰ）、ワイヤレスルータなどであることがある。基地局１１４ａ、１１４ｂは、それぞれ単一要素として示されているが、基地局１１４ａ、１１４ｂは、いかなる数の相互に接続された基地局および／またはネットワーク要素も含むことができることは理解されよう。
【００１３】
基地局１１４ａは、基地局コントローラ（ＢＳＣ）、無線ネットワークコントローラ（ＲＮＣ）、リレーノード、その他など、他の基地局および／またはネットワーク要素（図示せず）も含むことがあるＲＡＮ１０３／１０４／１０５の一部とすることができる。基地局１１４ａおよび／または基地局１１４ｂは、セル（図示せず）と呼ばれることがある特定の地理的領域内のワイヤレス信号を送信するおよび／または受信するように構成されることが可能である。セルはさらに、セルセクタに分割されることが可能である。例えば、基地局１１４ａと関連するセルは、３つのセクタに分割されることが可能である。したがって、１つの実施形態では、基地局１１４ａは３つのトランシーバ、すなわちセルの各セクタに１つを含むことができる。別の実施形態では、基地局１１４ａは、多入力多出力（ＭＩＭＯ）技術を使用することができ、したがって、セルの各セクタに複数のトランシーバを利用することができる。
【００１４】
基地局１１４ａおよび／または１１４ｂは、エアインタフェース１１５／１１６／１１７によってＷＴＲＵ１０２ａ、１０２ｂ、１０２ｃ、および／または１０２ｄの１または複数と通信することができ、エアインタフェース１１５／１１６／１１７は、いかなる好適なワイヤレス通信リンク（例えば、無線周波数（ＲＦ）、マイクロ波、赤外線（ＩＲ）、紫外線（ＵＶ）、可視光線など）であってもよい。エアインタフェース１１５／１１６／１１７は、いかなる好適な無線アクセス技術（ＲＡＴ）を使用して確立されることも可能である。
【００１５】
より詳細には、上記のように、通信システム１００は、多元接続システムであることが可能であり、ＣＤＭＡ、ＴＤＭＡ、ＦＤＭＡ、ＯＦＤＭＡ、ＳＣ−ＦＤＭＡなどの、１または複数のチャネルアクセス方式を使用することができる。例えば、ＲＡＮ１０３／１０４／１０５中の基地局１１４ａおよびＷＴＲＵ１０２ａ、１０２ｂ、および／または１０２ｃは、広帯域ＣＤＭＡ（ＷＣＤＭＡ（登録商標））を使用してエアインタフェース１１５／１１６／１１７を確立することができるユニバーサル移動体通信システム（ＵＭＴＳ）地上無線アクセス（ＵＴＲＡ）などの無線技術を実装することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１６】
別の実施形態では、基地局１１４ａおよびＷＴＲＵ１０２ａ、１０２ｂ、および／または１０２ｃは、ＬＴＥ（Long Term Evolution）および／またはＬＴＥ−Ａｄｖａｎｃｅｄ（ＬＴＥ−Ａ）を使用してエアインタフェース１１５／１１６／１１７を確立することができる、Ｅ−ＵＴＲＡ（Evolved UMTS Terrestrial Radio Access）などの無線技術を実装することができる。
【００１７】
別の実施形態では、基地局１１４ａおよびＷＴＲＵ１０２ａ、１０２ｂ、および／または１０２ｃは、ＩＥＥＥ  ８０２．１６（すなわち、Worldwide Interoperability for Microwave Access（ＷｉＭＡＸ））、ＣＤＭＡ２０００、ＣＤＭＡ２０００  １Ｘ、ＣＤＭＡ２０００  ＥＶ−ＤＯ、ＩＳ−２０００（Interim Standard 2000）、ＩＳ−９５（Interim Standard 95）、ＩＳ−８５６（Interim Standard 856）、ＧＳＭ（登録商標）（Global System for Mobile communications）、ＥＤＧＥ（Enhanced Data rates for GSM Evolution）、ＧＳＭ  ＥＤＧＥ（ＧＥＲＡＮ）などの無線技術を実装することができる。
【００１８】
図１Ａの基地局１１４ｂは、例えば、ワイヤレスルータ、Ｈｏｍｅ  Ｎｏｄｅ−Ｂ、Ｈｏｍｅ  ｅＮｏｄｅ−Ｂ、またはアクセスポイントとすることができ、職場、家庭、車、学校などの局所的エリアにおけるワイヤレス接続を容易にするためのいかなる好適なＲＡＴを利用することもできる。１つの実施形態では、基地局１１４ｂおよびＷＴＲＵ１０２ｃ、１０２ｄは、ＩＥＥＥ  ８０２．１１などの無線技術を実装して、ワイヤレスローカルエリアネットワーク（ＷＬＡＮ）を確立することができる。別の実施形態では、基地局１１４ｂおよびＷＴＲＵ１０２ｃ、１０２ｄは、ＩＥＥＥ  ８０２．１５などの無線技術を実装して、ワイヤレスパーソナルエリアネットワーク（ＷＰＡＮ）を確立することができる。さらに別の実施形態では、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を使用して、ピコセルまたはフェムトセルを確立することができる。図１Ａに示すように、基地局１１４ｂは、インターネット１１０への直接接続を有することができる。したがって基地局１１４ｂは、コアネットワーク１０６／１０７／１０９を介してインターネット１１０にアクセスすることを要求されないことがある。
【００１９】
ＲＡＮ１０３／１０４／１０５は、コアネットワーク１０６／１０７／１０９と通信することが可能であり、コアネットワーク１０６／１０７／１０９は、音声、データ、アプリケーション、および／またはＶｏＩＰ（voice over internet protocol）サービスをＷＴＲＵ１０２ａ、１０２ｂ、１０２ｃ、および／または１０２ｄの１または複数に提供するように構成されたいかなるタイプのネットワークであってもよい。例えば、コアネットワーク１０６／１０７／１０９は、呼制御、課金サービス、移動体位置ベースのサービス、プリペイド通話、インターネット接続、ビデオ分配などを提供すること、および／または、ユーザ認証などの高レベルセキュリティ機能を行うことができる。図１Ａには示していないが、ＲＡＮ１０３／１０４／１０５および／またはコアネットワーク１０６／１０７／１０９は、ＲＡＮ１０３／１０４／１０５と同じＲＡＴを、または異なるＲＡＴを使用する他のＲＡＮと直接に通信または間接に通信することができることは理解されよう。例えば、Ｅ−ＵＴＲＡ無線技術を使用することができるＲＡＮ１０３／１０４／１０５に接続されていることに加えて、コアネットワーク１０６／１０７／１０９は、ＧＳＭ無線技術を使用している別のＲＡＮ（図示しない）とも通信することができる。
【００２０】
コアネットワーク１０６／１０７／１０９は、ＷＴＲＵ１０２ａ、１０２ｂ、１０２ｃ、および／または１０２ｄが、ＰＳＴＮ１０８、インターネット１１０、および／または他のネットワーク１１２にアクセスするためのゲートウェイとして働くこともできる。ＰＳＴＮ１０８は、旧来の電話サービス（ＰＯＴＳ）を提供する回線交換電話網を含むことができる。インターネット１１０は、ＴＣＰ／ＩＰインターネットプロトコルスイート中のＴＣＰ（transmission control protocol）、ＵＤＰ（user datagram protocol）、ＩＰ（internet protocol）など、共通の通信プロトコルを使用する、相互接続したコンピュータネットワークおよびデバイスのグローバルシステムを含むことができる。ネットワーク１１２は、他のサービスプロバイダによって所有されるおよび／または運用される有線通信ネットワークまたはワイヤレス通信ネットワークを含むことができる。例えばネットワーク１１２は、ＲＡＮ１０３／１０４／１０５と同じＲＡＴを、または異なるＲＡＴを使用することができる、１または複数のＲＡＮに接続された別のコアネットワークを含むことができる。
【００２１】
通信システム１００のＷＴＲＵ１０２ａ、１０２ｂ、１０２ｃ、および／または１０２ｄの一部または全部は、マルチモード機能を含むことができる、すなわち、ＷＴＲＵ１０２ａ、１０２ｂ、１０２ｃ、および／または１０２ｄは、異なるワイヤレスリンクを通じて異なるワイヤレスネットワークと通信するための複数のトランシーバを含むことができる。例えば図１Ａに示すＷＴＲＵ１０２ｃは、セルラベースの無線技術を使用することができる基地局１１４ａと通信する、およびＩＥＥＥ  ８０２無線技術を使用することができる基地局１１４ｂと通信するように構成されることが可能である。
【００２２】
図１Ｂは、例示的ＷＴＲＵ１０２のシステム図を示す。図１Ｂに示すように、ＷＴＲＵ１０２は、プロセッサ１１８、トランシーバ１２０、送信／受信要素１２２、スピーカ／マイク１２４、キーパッド１２６、ディスプレイ／タッチパッド１２８、取り外しできないメモリ１３０、取り外しできるメモリ１３２、電源１３４、全地球測位システム（ＧＰＳ）チップセット１３６、および他の周辺機器１３８を含むことができる。ＷＴＲＵ１０２は、依然として一実施形態と一致しながら、前述の要素のいかなるサブコンビネーションも含むことができることは理解されよう。また、諸実施形態は、基地局１１４ａおよび１１４ｂ、および／または基地局１１４ａおよび１１４ｂが表すことができるノード、例えば特に、無線局（ＢＴＳ）、Ｎｏｄｅ−Ｂ、サイトコントローラ、アクセスポイント（ＡＰ）、ホームノードＢ、進化型ホームノードＢ（ｅＮｏｄｅＢ）、ホーム進化型ノードＢ（ＨｅＮＢ）、ホーム進化型ノードＢゲートウェイ、およびプロキシノードなどの、ただしこれらに限定されないノードが、図１Ｂに示され、本明細書において説明される要素の一部または全部を含むことができると考える。
【００２３】
プロセッサ１１８は、汎用プロセッサ、専用プロセッサ、従来のプロセッサ、デジタル信号プロセッサ（ＤＳＰ）、複数のマイクロプロセッサ、ＤＳＰコアと関連する１または複数のマイクロプロセッサ、コントローラ、マイクロコントローラ、特定用途向け集積回路（ＡＳＩＣ）、ＦＰＧＡ（Field Programmable Gate Array）回路、その他の型の集積回路（ＩＣ）、ステートマシンとすることができる。プロセッサ１１８は、信号コーディング、データ処理、電力制御、入力／出力処理、および／またはＷＴＲＵ１０２が無線環境で動作できるようにするその他の機能を行うことができる。プロセッサ１１８は、トランシーバ１２０に結合されることが可能であり、トランシーバ１２０は、送信／受信要素１２２に結合されることが可能である。図１Ｂはプロセッサ１１８およびトランシーバ１２０を別々の構成要素として示しているが、プロセッサ１１８およびトランシーバ１２０を、電子部品パッケージまたはチップに統合することができることは理解されよう。
【００２４】
送信／受信要素１２２は、エアインタフェース１１５／１１６／１１７を通じて基地局（例えば、基地局１１４ａ）へ信号を送信する、または基地局（例えば、基地局１１４ａ）から信号を受信するように構成されることが可能である。例えば、１つの実施形態では、送信／受信要素１２２は、ＲＦ信号を送信するおよび／または受信するように構成されたアンテナである。別の実施形態では、送信／受信要素１２２は、例えば、ＩＲ、ＵＶまたは可視光線信号を送信するおよび／または受信するように構成されたエミッタ／検波器である。さらに別の実施形態では、送信／受信要素１２２は、ＲＦと光信号の両方を送受信するように構成することができる。送信／受信要素１２２は、無線信号のいかなる組合せも送信するおよび／または受信するように構成することができることは理解されよう。
【００２５】
さらに、送信／受信要素１２２は図１Ｂでは単一要素として描かれているが、ＷＴＲＵ１０２はいかなる数の送信／受信要素１２２も含むことができる。さらに詳細には、ＷＴＲＵ１０２は、ＭＩＭＯ技術を使用することができる。したがって、１つの実施形態では、ＷＴＲＵ１０２は、エアインタフェース１１５／１１６／１１７を通じてワイヤレス信号を送受信するための２つ以上の送信／受信要素１２２（例えば複数のアンテナ）を含むことができる。
【００２６】
トランシーバ１２０は、送信／受信要素１２２によって送信されることになる信号を変調し、送信／受信要素１２２によって受信される信号を復調するように構成することができる。上述のように、ＷＴＲＵ１０２は、マルチモード機能を有することができる。したがって、トランシーバ１２０は、ＷＴＲＵ１０２が例えばＵＴＲＡおよびＩＥＥＥ  ８０２．１１など、複数のＲＡＴによって通信できるようにするための複数のトランシーバを含むことができる。
【００２７】
ＷＴＲＵ１０２のプロセッサ１１８は、スピーカ／マイク１２４、キーパッド１２６、および／またはディスプレイ／タッチパッド１２８（例えば、液晶ディスプレイ（ＬＣＤ）ディスプレイユニットまたは有機発光ダイオード（ＯＬＥＤ）ディスプレイユニット）に結合されることが可能であり、これらからユーザ入力データを受信することができる。プロセッサ１１８は、スピーカ／マイク１２４、キーパッド１２６、および／またはディスプレイ／タッチパッド１２８にユーザデータを出力することもできる。さらにプロセッサ１１８は、取り外しできないメモリ１３０および／または取り外しできるメモリ１３２など、いかなるタイプの好適なメモリからの情報にアクセスすることもでき、またいかなるタイプの好適なメモリにデータを格納することもできる。取り外しできないメモリ１３０は、ランダムアクセスメモリ（ＲＡＭ）、リードオンリメモリ（ＲＯＭ）、ハードディスク、またはいかなるタイプのメモリ記憶装置も含むことができる。取り外しできるメモリ１３２は、加入者識別情報モジュール（ＳＩＭ）カード、メモリスティック、セキュアデジタル（ＳＤ）メモリカードなどを含むことができる。他の実施形態では、プロセッサ１１８は、サーバまたは家庭用コンピュータ（図示せず）など、ＷＴＲＵ１０２に物理的に位置していないメモリからの情報にアクセスする、およびこのメモリにデータを格納することができる。
【００２８】
プロセッサ１１８は、電源１３４から電力を受け取ることができ、ＷＴＲＵ１０２内の他の構成要素に対して電力を分配および／または制御するように構成することができる。電源１３４は、ＷＴＲＵ１０２に電力を供給するためのいかなる好適なデバイスであってもよい。例えば、電源１３４は、１または複数の乾電池（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）、その他）、太陽電池、燃料電池などを含むことができる。
【００２９】
プロセッサ１１８は、ＷＴＲＵ１０２の現在の位置に関する位置情報（例えば、経度および緯度）を提供するように構成することができるＧＰＳチップセット１３６に結合されることもできる。ＧＰＳチップセット１３６からの情報に加えて、またはこれに代えて、ＷＴＲＵ１０２は基地局（例えば基地局１１４ａ、１１４ｂ）からエアインタフェース１１５／１１６／１１７を通じて位置情報を受信する、および／または２以上の近傍基地局から受信されている信号のタイミングに基づいてその位置を決定することができる。ＷＴＲＵ１０２は、依然として一実施形態と一致しながらいかなる好適な位置決定方法によっても位置情報を獲得することができることは理解されよう。
【００３０】
プロセッサ１１８は、他の周辺機器１３８にさらに結合されることができ、他の周辺機器１３８は、追加の特徴、機能、および／または有線接続またはワイヤレス接続を提供する１または複数のソフトウェアモジュールおよび／またはハードウェアモジュールを含むことができる。例えば、周辺機器１３８は、加速度計、ｅコンパス、衛星トランシーバ、デジタルカメラ（写真またはビデオ用）、ユニバーサルシリアルバス（ＵＳＢ）ポート、振動デバイス、テレビジョントランシーバ、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザなどを含むことができる。
【００３１】
図１Ｃは、一実施形態によるＲＡＮ１０３およびコアネットワーク１０６のシステム図を示す。上記のように、ＲＡＮ１０３は、ＵＴＲＡ無線技術を使用して、エアインタフェース１１５を通じてＷＴＲＵ１０２ａ、１０２ｂ、および／または１０２ｃと通信することができる。ＲＡＮ１０３は、コアネットワーク１０６と通信していることもある。図１Ｃに示すように、ＲＡＮ１０３は、エアインタフェース１１５を通じてＷＴＲＵ１０２ａ、１０２ｂ、および／または１０２ｃと通信するための１または複数のトランシーバをそれぞれ含むことができるＮｏｄｅ−Ｂ１４０ａ、１４０ｂ、および／または１４０ｃを含むことができる。Ｎｏｄｅ−Ｂ１４０ａ、１４０ｂ、および／または１４０ｃは、ＲＡＮ１０３内の特定のセル（図示せず）とそれぞれ関連付けられることができる。ＲＡＮ１０３は、ＲＮＣ１４２ａ、および／または１４２ｂもまた含むことができる。ＲＡＮ１０３は、依然として実施形態と一致しながらいかなる数のＮｏｄｅ−ＢおよびＲＮＣを含むこともできることは理解されよう。
【００３２】
図１Ｃに示すように、Ｎｏｄｅ−Ｂ１４０ａ、および／または１４０ｂはＲＮＣ１４２ａと通信していることがある。さらに、Ｎｏｄｅ−Ｂ１４０ｃは、ＲＮＣ１４２ｂと通信していることがある。Ｎｏｄｅ−Ｂ１４０ａ、１４０ｂ、および／または１４０ｃは、Ｉｕｂインタフェースを介してそれぞれのＲＮＣ１４２ａ、１４２ｂと通信することができる。ＲＮＣ１４２ａ、１４２ｂは、Ｉｕｒインタフェースを介して互いと通信していることがある。ＲＮＣ１４２ａ、１４２ｂのそれぞれは、接続されたそれぞれのＮｏｄｅ−Ｂ１４０ａ、１４０ｂ、および／または１４０ｃを制御するように構成することができる。また、ＲＮＣ１４２ａ、１４２ｂのそれぞれは、アウターループ電力制御、負荷制御、許可制御、パケットスケジューリング、ハンドオーバ制御、マクロダイバーシチ、セキュリティ機能、データ暗号化などの、他の機能を実行する、またはサポートするように構成することができる。
【００３３】
図１Ｃに示すコアネットワーク１０６は、メディアゲートウェイ（ＭＧＷ）１４４、移動通信交換局（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。前述の要素のそれぞれはコアネットワーク１０６の一部として示されているが、これらの要素のいずれか１つがコアネットワーク事業者以外の事業体によって所有される、および／または運営される場合があることは理解されよう。
【００３４】
ＲＡＮ１０３の中のＲＮＣ１４２ａは、ＩｕＣＳインタフェースを介してコアネットワーク１０６内のＭＳＣ１４６に接続される。ＭＳＣ１４６は、ＭＧＷ１４４に接続される。ＭＳＣ１４６およびＭＧＷ１４４は、ＷＴＲＵ１０２ａ、１０２ｂ、および／または１０２ｃに、ＰＳＴＮ１０８などの回線交換ネットワークへのアクセスを提供して、ＷＴＲＵ１０２ａ、１０２ｂ、および／または１０２ｃと伝統的な固定通信デバイスとの間の通信を容易にすることができる。
【００３５】
ＲＡＮ１０３の中のＲＮＣ１４２ａは、ＩｕＰＳインタフェースを介してコアネットワーク１０６の中のＳＧＳＮ１４８に接続される。ＳＧＳＮ１４８は、ＧＧＳＮ１５０に接続される。ＳＧＳＮ１４８およびＧＧＳＮ１５０は、ＷＴＲＵ１０２ａ、１０２ｂ、および／または１０２ｃに、インターネット１１０などのパケット交換ネットワークへのアクセスを提供して、ＷＴＲＵ１０２ａ、１０２ｂ、および／または１０２ｃとＩＰ対応デバイスとの間の通信を容易にすることができる。
【００３６】
上記のように、コアネットワーク１０６は、ネットワーク１１２に接続され、ネットワーク１１２は、他のサービスプロバイダによって所有されるおよび／または運営される他の有線ネットワークまたはワイヤレスネットワークを含むことができる。
【００３７】
図１Ｄは、一実施形態によるＲＡＮ１０４およびコアネットワーク１０７のシステム図を示す。上記のように、ＲＡＮ１０４は、Ｅ−ＵＴＲＡ無線技術を使用して、エアインタフェース１１６を通じてＷＴＲＵ１０２ａ、１０２ｂ、および／または１０２ｃと通信することができる。ＲＡＮ１０４も、コアネットワーク１０７と通信することができる。
【００３８】
ＲＡＮ１０４は、ｅＮｏｄｅ−Ｂ１６０ａ、１６０ｂ、および／または１６０ｃを含むことができるが、ＲＡＮ１０４は、依然として一実施形態と一致しながら、いかなる数のｅＮｏｄｅ−Ｂを含むこともできることは理解されよう。ｅＮｏｄｅ−Ｂ１６０ａ、１６０ｂ、および／または１６０ｃは、それぞれエアインタフェース１１６を通じてＷＴＲＵ１０２ａ、１０２ｂ、および／または１０２ｃと通信するための１または複数のトランシーバを含むことができる。１つの実施形態では、ｅＮｏｄｅ−Ｂ１６０ａ、１６０ｂ、および／または１６０ｃは、ＭＩＭＯ技術を実装することができる。したがって、例えばｅＮｏｄｅ−Ｂ１６０ａは、複数のアンテナを使用してＷＴＲＵ１０２ａにワイヤレス信号を送信すること、およびＷＴＲＵ１０２ａからワイヤレス信号を受信することができる。
【００３９】
ｅＮｏｄｅ−Ｂ１６０ａ、１６０ｂ、および／または１６０ｃのそれぞれは、特定のセル（図示せず）と関連付けられることができ、無線リソース管理決定、ハンドオーバ決定、上りリンクおよび／または下りリンクにおけるユーザのスケジューリングなどを処理するように構成することができる。図１Ｄに示すように、ｅＮｏｄｅ−Ｂ１６０ａ、１６０ｂ、および／または１６０ｃは、Ｘ２インタフェースを通じて互いと通信することができる。
【００４０】
図１Ｄに示すコアネットワーク１０７は、そのためモビリティ管理ゲートウェイ（ＭＭＥ）１６２、サービングゲートウェイ１６４、およびパケットデータネットワーク（ＰＤＮ）ゲートウェイ１６６を含むことができる。前述の要素のそれぞれはコアネットワーク１０７の一部として示されているが、これらの要素のいずれか１つがコアネットワーク事業者以外の事業体によって所有される、および／または運営される場合があることは理解されよう。
【００４１】
ＭＭＥ１６２は、Ｓ１インタフェースを介してＲＡＮ１０４中のｅＮｏｄｅ−Ｂ１６０ａ、１６０ｂ、および／または１６０ｃのそれぞれに接続することができ、制御ノードとして働くことができる。例えば、ＭＭＥ１６２は、ＷＴＲＵ１０２ａ、１０２ｂ、および／または１０２ｃのユーザを認証すること、ベアラアクティブ化（activation）／非アクティブ化（deactivation）、ＷＴＲＵ１０２ａ、１０２ｂ、および／または１０２ｃの最初のアタッチ中に特定のサービングゲートウェイを選択することなどを担うことができる。ＭＭＥ１６２はまた、ＲＡＮ１０４と、ＧＳＭまたはＷＣＤＭＡなど他の無線技術を使用する他のＲＡＮ（図示せず）との間で切り替えるための制御プレーン機能を提供することができる。
【００４２】
サービングゲートウェイ１６４は、Ｓ１インタフェースを介してＲＡＮ１０４中のｅＮｏｄｅ−Ｂ１６０ａ、１６０ｂ、および／または１６０ｃのそれぞれに接続することができる。サービングゲートウェイ１６４は、一般的に、ＷＴＲＵ１０２ａ、１０２ｂ、および／または１０２ｃへ／ＷＴＲＵ１０２ａ、１０２ｂ、および／または１０２ｃから、ユーザデータパケットをルーティングし、転送することができる。サービングゲートウェイ１６４はまた、ｅＮｏｄｅＢ間のハンドオーバ中にユーザプレーンをアンカリングすること（anchoring）、ダウンリンクデータがＷＴＲＵ１０２ａ、１０２ｂ、および／または１０２ｃに使用できるときページングをトリガすること、ＷＴＲＵ１０２ａ、１０２ｂ、および／または１０２ｃのコンテキストを管理し、格納することなど、他の機能を行うこともできる。
【００４３】
サービングゲートウェイ１６４はまた、ＰＤＮゲートウェイ１６６に接続することもでき、ＰＤＮゲートウェイ１６６は、ＷＴＲＵ１０２ａ、１０２ｂ、および／または１０２ｃに、インターネット１１０などのパケット交換ネットワークへのアクセスを提供して、ＷＴＲＵ１０２ａ、１０２ｂ、および／または１０２ｃとＩＰ対応デバイスとの間の通信を容易にすることができる。
【００４４】
コアネットワーク１０７は、他のネットワークとの通信を容易にすることができる。例えばコアネットワーク１０７はＷＴＲＵ１０２ａ、１０２ｂ、および／または１０２ｃに、ＰＳＴＮ１０８などの回線交換ネットワークへのアクセスを提供し、ＷＴＲＵ１０２ａ、１０２ｂ、および／または１０２ｃと伝統的な固定通信デバイスとの間の通信を容易にすることができる。例えば、コアネットワーク１０７は、コアネットワーク１０７とＰＳＴＮ１０８との間のインタフェースとして働くＩＰゲートウェイ（例えば、ＩＰマルチメディアサブシステム（ＩＭＳ）サーバ）を含むことができる、またはＩＰゲートウェイと通信することができる。さらにコアネットワーク１０７は、ＷＴＲＵ１０２ａ、１０２ｂ、および／または１０２ｃにネットワーク１１２へのアクセスを提供することができ、ネットワーク１１２は、他のサービスプロバイダによって所有されるおよび／または運営される他の有線ネットワークまたはワイヤレスネットワークを含むことができる。
【００４５】
図１Ｅは、一実施形態によるＲＡＮ１０５およびコアネットワーク１０９のシステム図を示す。ＲＡＮ１０５は、ＩＥＥＥ  ８０２．１６無線技術を使用して、エアインタフェース１１７を通じてＷＴＲＵ１０２ａ、１０２ｂ、および／または１０２ｃと通信するアクセスサービスネットワーク（ＡＳＮ）とすることができる。以下にさらに説明するように、ＷＴＲＵ１０２ａ、１０２ｂ、および／または１０２ｃ、ＲＡＮ１０５、およびコアネットワーク１０９の異なる機能エンティティ間の通信リンクは、参照点（reference point）として定義されることが可能である。
【００４６】
図１Ｅに示すように、ＲＡＮ１０５は、基地局１８０ａ、１８０ｂ、および／または１８０ｃ、およびＡＳＮゲートウェイ１８２を含むことができるが、ＲＡＮ１０５は、依然として実施形態と一致しながら、いかなる数の基地局およびＡＳＮゲートウェイも含むことができることは理解されよう。基地局１８０ａ、１８０ｂ、および／または１８０ｃは、それぞれＲＡＮ１０５において特定のセル（図示せず）と関連付けられることができ、それぞれエアインタフェース１１７を通じてＷＴＲＵ１０２ａ、１０２ｂ、および／または１０２ｃと通信するための１または複数のトランシーバを含むことができる。１つの実施形態では、基地局１８０ａ、１８０ｂ、および／または１８０ｃは、ＭＩＭＯ技術を実装することができる。したがって、例えば基地局１８０ａは、複数のアンテナを使用してＷＴＲＵ１０２ａにワイヤレス信号を送信し、ＷＴＲＵ１０２ａからワイヤレス信号を受信することができる。基地局１８０ａ、１８０ｂ、および／または１８０ｃは、ハンドオフトリガリング（handoff triggering）、トンネル構築、無線リソース管理、トラフィック分類、サービス品質（ＱｏＳ）ポリシー実行など、モビリティ管理機能（mobility management functions）を提供することもできる。ＡＳＮゲートウェイ１８２は、トラフィック集約ポイントとして機能することができ、ページング、加入者プロファイルのキャッシング、コアネットワーク１０９へのルーティングなどを担うことができる。
【００４７】
ＷＴＲＵ１０２ａ、１０２ｂ、および／または１０２ｃとＲＡＮ１０５との間のエアインタフェース１１７は、ＩＥＥＥ  ８０２．１６規格を実行するＲ１参照点として定義されることができる。さらに、ＷＴＲＵ１０２ａ、１０２ｂ、および／または１０２ｃのそれぞれは、コアネットワーク１０９との論理インタフェース（図示せず）を確立することができる。ＷＴＲＵ１０２ａ、１０２ｂ、および／または１０２ｃとコアネットワーク１０９との間の論理インタフェースは、Ｒ２参照点として定義されることが可能であり、Ｒ２参照点を、認証、認可、ＩＰホスト構成管理、および／またはモビリティ管理のために使用することができる。
【００４８】
基地局１８０ａ、１８０ｂ、および／または１８０ｃのそれぞれの間の通信リンクを、基地局間のＷＴＲＵハンドオーバおよびデータの転送を容易にするためのプロトコルを含むＲ８参照点として定義することができる。基地局１８０ａ、１８０ｂ、および／または１８０ｃとＡＳＮゲートウェイ１８２との間の通信リンクを、Ｒ６参照点として定義することができる。Ｒ６参照点は、ＷＴＲＵ１０２ａ、１０２ｂ、および／または１０２ｃのそれぞれと関連するモビリティイベントに基づいたモビリティ管理を容易にするためのプロトコルを含むことができる。
【００４９】
図１Ｅに示されるように、ＲＡＮ１０５は、コアネットワーク１０９に接続することができる。ＲＡＮ１０５とコアネットワーク１０９との間の通信リンクを、例えば、データ転送およびモビリティ管理能力を促進するためのプロトコルを含むＲ３参照点として定義することができる。コアネットワーク１０９は、モバイルＩＰホームエージェント（ＭＩＰ−ＨＡ）１８４と、認証、許可、課金（ＡＡＡ）サーバ１８６と、ゲートウェイ１８８とを含むことができる。前述の要素のそれぞれはコアネットワーク１０９の一部として示されているが、これらの要素のいずれか１つがコアネットワーク事業者以外の事業体によって所有される、および／または運営される場合があることは理解されよう。
【００５０】
ＭＩＰ−ＨＡは、ＩＰアドレス管理を担うことができ、ＷＴＲＵ１０２ａ、１０２ｂ、および／または１０２ｃが異なるＡＳＮおよび／または異なるコアネットワーク間でローミングできるようにすることができる。ＭＩＰ−ＨＡ１８４は、ＷＴＲＵ１０２ａ、１０２ｂ、および／または１０２ｃに、インターネット１１０などのパケット交換ネットワークへのアクセスを提供して、ＷＴＲＵ１０２ａ、１０２ｂ、および／または１０２ｃとＩＰ対応デバイスとの間の通信を容易にすることができる。ＡＡＡサーバ１８６は、ユーザ認証およびユーザサービスをサポートすることを担うことができる。ゲートウェイ１８８は、他のネットワークとの網間接続を容易にすることができる。例えばゲートウェイ１８８はＷＴＲＵ１０２ａ、１０２ｂ、および／または１０２ｃに、ＰＳＴＮ１０８などの回線交換ネットワークへのアクセスを提供し、ＷＴＲＵ１０２ａ、１０２ｂ、および／または１０２ｃと伝統的な固定通信デバイスとの間の通信を容易にすることができる。さらにゲートウェイ１８８は、ＷＴＲＵ１０２ａ、１０２ｂ、および／または１０２ｃにネットワーク１１２へのアクセスを提供することができ、ネットワーク１１２は、他のサービスプロバイダによって所有されるおよび／または運営される他の有線ネットワークまたはワイヤレスネットワークを含むことができる。
【００５１】
図１Ｅには示されていないが、ＲＡＮ１０５は、他のＡＳＮに接続することができ、コアネットワーク１０９は、他のコアネットワークに接続することができることは理解されるべきである、および／または理解されよう。ＲＡＮ１０５と他のＡＳＮとの間の通信リンクを、Ｒ４参照点として定義することができ、Ｒ４参照点は、ＲＡＮ１０５と他のＡＳＮとの間のＷＴＲＵ１０２ａ、１０２ｂ、および／または１０２ｃのモビリティを調整するためのプロトコルを含むことができる。コアネットワーク１０９と他のコアネットワークとの間の通信リンクを、Ｒ５参照として定義することができ、Ｒ５参照は、ホームコアネットワークと在圏コアネットワークとの間の網間接続を容易にするためのプロトコルを含むことができる。
【００５２】
本明細書で説明するように、ＬＴＥを含む通信システムにおいて音声通話を取得するためのシステムおよび／または方法が提供される、および／または使用されるものとする。例えば、ＩＰベースの技法、方法、またはソリューション、および／またはＣＳベースの技法、方法、またはソリューションを、ＬＴＥを含む通信システムにおいて音声通話を取得するために使用することができる。ＩＰベースの技法、方法、またはソリューションは、例えば、ＩＰマルチメディアサブシステム（ＩＭＳ）、Ｖｏｌｇａ（Voice over LTE via Generic Access）、Ｓｋｙｐｅなどの第三者アプリケーション、および／または同様のものなどを使用して、インターネットプロトコル（ＩＰ）を通じて提供されることが可能である音声サービスを含むことができる。さらに、ＣＳベースの技法、方法、またはソリューションが使用されることが可能であって、ＵＥまたはＷＴＲＵ（例えば、図１Ａ〜１Ｅに示されるＷＴＲＵ１０２ａ〜ｄ）などのデバイスが、それが実際に音声サービスを受けることができるＣＳドメインにそれを移動させるように、システムを使用する、および／またはシステムに要求することができる。この方法は、回線交換フォールバック（ＣＳＦＢ）とすることができる。
【００５３】
ＣＳＦＢでは、ＷＴＲＵまたはＵＥなどのデバイスが、例えばデバイスはＥ−ＵＴＲＡＮにありながら、（例えば、ＬＴＥの）ＰＳドメインおよび（例えば、ＭＳＣおよび／またはＶＬＲの）ＣＳドメインへの連携登録（combined registration）を行うことができる。一実施形態では、これは、アタッチ要求メッセージでアタッチタイプを特定の値に設定することによって行われることができる。例えば、アタッチ要求メッセージで例えば「連携ＥＳＰ／ＩＭＳＩアタッチ」を示すように値が含まれるおよび／または送信されることがある。デバイスは、例えば、ユーザによってかけられることが可能であるモバイル発信（mobile originated：ＭＯ）通話に応答して、および／または、ＭＳＣおよび／またはＶＬＲによってトリガされることができるモバイル着信（mobile terminated：ＭＴ）通話に応答して、ＣＳＦＢを行うことができ、ＭＴ通話は、ＬＴＥシステム（例えばＭＭＥ）がＭＴ要求をデバイスに通知する要因となることができる。一例では、ＣＳＦＢＳは、デバイスが連携登録されることができ、ＣＳＦＢを行うことができる。
【００５４】
一実施形態によれば、ＭＯ  ＣＳＦＢは、アイドルモードまたは接続モードから開始することができる。いずれのモードでも、デバイスは、ＮＡＳメッセージを送信することができる。ＮＡＳメッセージは、拡張サービス要求（ＳＲ）とすることができる。
【００５５】
さらに、ＭＴ  ＣＳＦＢ要求は、デバイスがアイドルモードまたは接続モードであるとき、届くことがある。デバイスがアイドルモードである場合、ＭＭＥはデバイスをページングする（page）ことができる。ＲＲＣページングメッセージは、例えば、ページングを開始したコアネットワークが、ＣＳドメインであることを示すことができる。このような例では、デバイスは、これがＭＴ  ＣＳＦＢ要求であることを知ることができる。デバイスが接続モードにある場合、ＭＭＥは、ＣＳサービス通知などのＮＡＳメッセージをデバイスに送信することができる。これらの例では、デバイスは、（例えば、再び）ＭＭＥへのＥＳＲメッセージで応答することができる。
【００５６】
デバイスはまた、本明細書に記載するようにＣＳドメインに登録することができる。例えば、「ＳＧ」インタフェースなどのインタフェースを、ＭＭＥとＭＳＣ／ＶＬＲとの間で定義することができる。このインタフェースを、（例えば、本明細書に記載するような）１または複数の手続きまたは方法に使用することができる。例えば、ＳＧインタフェースを、ＭＳＣおよび／またはＶＬＲでデバイスを登録するためにＭＭＥが開始した手続に使用することができる。
【００５７】
ＭＭＥがデバイスからＰＳおよびＣＳドメインに対する連携登録を受信するとき、ＭＭＥは、デバイスをＭＳＣおよび／またはＶＬＲに登録するためにＳＧインタフェースで手続きまたは方法を開始することができる。ＶＬＲは、一例では、登録の結果、およびオプションとして、位置エリア識別子（ＬＡＩ）、ＴＭＳＩ、および／またはその他の好適な識別子など、ＣＳ関連手続きのためにデバイスに渡されることが可能である何らかの識別子で、ＭＭＥに応答することができる。ＭＭＥは、アタッチ結果（例えば、アタッチ結果メッセージ）でデバイスに応答することができる。一例では、ＭＭＥは、アタッチ要求がＰＳドメインとＣＳドメインの両方に対して成功したかどうかを示すことができる。デバイスは、ＭＯ  ＣＳＦＢを要求することができる、および／または（例えば、アタッチ結果が成功したことに応答して、またはその場合に）ＭＴ  ＣＳＦＢを受信することができる。
【００５８】
例示的実施形態によれば、ＭＴ  ＣＳ通話は、ＭＳＣ／ＶＬＲで受信することができ、ＭＳＣ／ＶＬＲが次にＳＧインタフェースを使用してＭＭＥにＭＴ  ＣＳＦＢ要求のデバイスをページングするよう要求する。ＭＭＥは、（例えば上述のように）デバイスがアイドルモードである場合、デバイスをページングする、または、デバイスが接続モードである場合、専用ＮＡＳメッセージを送信することができる。
【００５９】
例として、デバイスが、ＬＴＥからＧＥＲＡＮ／ＵＴＲＡＮへのシステム間変更を行うことができる。例えば、本明細書に記載するように、ＣＳＦＢは、（例えば、方法または手続きにおいて）行われることが可能である１または複数のアクションを含むことができる。例えば、ＣＳＦＢは、デバイスをＣＳドメインに移動（例えば、ＲＡＴ切り替え）させること（例えば、システム間変更）、実際の音声通話をセットアップすること、およびＣＳドメイン（例えば、ＵＴＲＡＮ、ＧＥＲＡＮ、ＣＤＭＡなど）全体に実施されることが可能であるデータ交換を行うことまたは提供することなどを含むことができる。本明細書に記載する例は、ＵＥをＣＳドメインに移動させること、および／またはシステム間変更の機能を説明することができる。
【００６０】
一例によれば、システム間変更を、例えば、デバイスが拡張サービス要求（ＥＳＲ）メッセージをＭＭＥに送信するとき、トリガすることができる。これは、例えば、ＭＯ通話またはＭＴ通話に対して、デバイスがＥＳＲメッセージをＭＭＥに送信するとき、ＭＯ要求とＭＴ要求の両方に適用することができる。システム間変更は、次のオプションの１または複数を使用して実現することができる。例えば、一例（例えば第１のオプション）では、システム間変更は、ＰＳハンドオーバ（ＨＯ）手続により実行することができ、デバイスのＰＳセッションを、（例えば、ＰＳ  ＨＯがサポートされることができる場合）ＵＴＲＡＮまたはＧＥＲＡＮにハンドオーバすることができる。デバイスがＰＳ  ＨＯを使用してシステムを変更することができるとしても、デバイスは、音声通話を確立した後に、そのＰＳサービスを継続することができる。これは、図２に示されるものとする。
【００６１】
例えば、図２は、ＰＳ  ＨＯを用いた例示的ＣＳＦＢを示す。図２に示すように、１ａ〜１ｃにおいてデバイス２００（例えば、図１Ａ〜１Ｅに記載するＷＴＲＵ１０２ａ〜ｄなどの、ＵＥまたはＷＴＲＵ）が、システム間変更をトリガすることができる。例えば、１ａにおいてデバイス２００は、ｅＮｏｄｅＢ２０２にＥＳＲを送信することができる。ｅＮｏｄｅＢ２０２は、図１Ｄに記載する例示的ｅＮｏｄｅＢ１６０ａ〜１６０ｃと同じまたは同様とすることができる。ｅＮＢ２０２は、ＥＳＲをＭＭＥ２０６に転送して、または送信して、ＭＭＥにＣＳフォールバックを行うよう示すことができる。ＭＭＥ２０６は、図１Ｄに記載する例示的ＭＭＥ１６２と同じまたは同様とすることができる。ＭＭＥ２０６は、１ｂにおいてＳ１−ＡＰ要求メッセージで応答することができる。Ｓ１−ＡＰ要求メッセージは、値を含むことができるＣＳフォールバックインジケータ、または（例えば、デバイス２００が音声通話を開始しているおよび／または受信していることがあるので）ｅＮｏｄｅＢ２０２にＣＳフォールバックを行うようにシグナリングすることができる他のインジケータを含むことができる。例えば、Ｓ１−ＡＰ要求メッセージは、デバイス２０２を（例えば、ＵＴＲＡＮ／ＧＥＲＡＮに）移動すべきであることをｅＮｏｄｅＢ２０２に示すことができる。図のように、ｅＮｏｄｅＢ２０２は、１ｃにおいて、コンテキスト変更を行うことができるＭＭＥ２０６にＳ１−ＡＰ応答メッセージで応答することができる。
【００６２】
一例では、２において、オプションとして測定が求められることがある。例えば、２において、ｅＮｏｄｅＢ２０２および／またはＭＭＥ２０６などの他の構成要素は、デバイス２００からの１または複数の測定を求めることがある。一例では、１または複数の測定は、ハンドオーバを行うべき、またはＰＳハンドオーバを行うことができるターゲットセル（例えば、最良のＧＥＲＡＮ／ＵＴＲＡＮセル）を決定するために使用することができる。
【００６３】
３ａ〜ｃにおいて、ＰＳ  ＨＯを開始し、および／またはトリガする。例えば、３ａにおいて、ＰＳ  ＨＯの準備手続きまたはフェーズを行うことができる。さらに、３ａにおいて、実行フェーズまたは手続を模倣し、または開始することができる。例えば、本明細書に記載するように、デバイス２００を、ＬＴＥなどの第１の無線アクセス技術（ＲＡＴ）から、他の、またはＧＥＲＡＮ／ＵＴＲＡＮなどの第２のＲＡＴへハンドオーバすることができる。３ａにおいて、ｅＮｏｄｅＢ２０２は、発信元および／またはターゲットセル（例えば、および／またはＭＭＥ２０６、デバイス２００など）に、ＣＳＦＢの結果としてＰＳ  ＨＯがトリガされたこと、および／またはＣＳＦＢが（例えば、準備フェーズの一部として）緊急によるものであったかどうかを示し、シグナリングし、および／または送信することができる。デバイス２００は、（例えば、コマンドに応答して）ＨＯを受信するおよび／または開始することができ、（例えば、実行フェーズの一部として）ターゲットセルに接続しようと試みることができる。一例では、ＨＯまたはＨＯを信号で伝えることができるメッセージは、ＨＯがＣＳＦＢの結果であることをデバイス２００に示すことができるＣＳフォールバックインジケータを含むことができる。デバイス２００はさらに、無線シグナリング接続を確立することができる。３ｂにおいて、デバイス２００は、一時停止手続きを開始して一時停止する、または例えば一時停止メッセージをＳＧＳＮ２０８に送信することによって、音声通話中にＰＳの一時停止されたステータスに入ることができる。ＳＧＳＮ２０８は、３ｃにおいて、一時停止メッセージを受信することができる、および／または一時停止手続を行うことができる。例えば、３ｃにおいて、ＳＧＳＮ２０８は、デバイスの一時停止されたステータスを格納することができる、および／または、（例えば、図に示すようにサービングＧＷおよび／またはＰ−ＧＷ／ＧＧＳＮに向かう）ベアラを保存するおよび／または一時停止することができる。
【００６４】
図２に示すように、（例えばＣＳドメインにアクセスした後の）デバイス２００は、（例えば４ａ〜６において）ＣＳ関連手続および／または方法を開始するおよび／または行うことができ、次いでＰＳセッションを続けることができる。例えば、デバイス２００は、４ａにおいて（例えば、ターゲットセルの位置が送信元セルとは異なる場合）位置エリア更新、および／または連携ルーティングエリア（ＲＡ）／位置エリア（ＬＡ）更新手続を開始することができる、および／またはデバイス２００は、４ｂにおいてＣＭ要求をＢＳＳ／ＲＮＳ２１０に送信することができ、ＢＳＳ／ＲＮＳ２１０が４ｃにおいて（例えば、単独の、または別のメッセージ内にカプセル化された）メッセージをＭＳＣ２１２に転送することができる。５において、ＭＳＣは、ＢＳＳ／ＲＮＳ２１０に、およびデバイス２００に、送信されるＣＭサービス拒否メッセージで応答することができ、例えば、デバイス２００が、ＭＳＣ２１２に登録されていない場合、デバイス２００が位置エリア更新手続を行うおよび／または模倣することができるようにする。デバイス２００は、６においてＣＳまたは音声通話を確立することができる。例えばデバイス２００は、ＣＳ通話確立手続きまたは方法を開始することができる。
【００６５】
７において、ＰＳ  ＨＯの実行フェーズの継続を行って、７の前に中断されたＰＳセッションが完了されるようにすることができる。例えば、他の手続きまたは方法（例えばアクション）が、ＰＳ  ＨＯのために行われることがある。
【００６６】
一例では、４ａが行われることがある場合、４ａが、ＭＳＣ２１２で位置エリア更新を行うことを含むまたは伴う場合があるので、中断はより可能性が高い。このような例は、一般的に時間がかかる場合がある。したがって、ＰＳドメインを使用しているアプリケーションは、ＰＳセッションがしばらくの間停止される場合があるので、サービスの低下を被ることがある。
【００６７】
さらに、デバイスが専用モードに入った後、デバイス２００がターゲットセルにおいてＰＳセッションを（例えば３ｂにおいて）一時停止する場合、ＰＳセッションは、サービス低下を被ることがあり、デバイスまたはネットワークは、デュアル転送モード（ＤＴＭ）をサポートすることができない場合がある。一例では（例えば一時停止される場合）、ＰＳセッションは、例えば図２の７において、デバイスのＣＳサービス（例えば、ＣＳ通話）が終了した後に再開されることがある。そのような例では、ＰＳセッションは中断されることがあり、デバイス２００が位置エリア更新を行う場合、および／またはデバイス２００またはネットワークがＤＴＭをサポートすることができない場合、中断は悪化することがある。
【００６８】
追加的または代替的例では、システム間変更が、ＵＴＲＡＮまたはＧＥＲＡＮセルへのＲＲＣ接続解放および／またはリダイレクションにより実行されることがある。例えば、ｅＮｏｄｅＢが、実行方法を使用して、ＣＳＦＢがＰＳ  ＨＯを用いて行われるか、またはＰＳ  ＨＯを用いずに行われるかを決定することができる。一例では、ＰＳ  ＨＯを用いずにＣＳＦＢを行うために、ｅＮｏｄｅＢは、本明細書に記載するようにＲＲＣ接続解放および／またはリダイレクションを使用することができる。これは、図３に示されることが可能である。
【００６９】
例えば、図３は、ＰＳ  ＨＯを使用することなく（例えばリダイレクションを用いたＲＲＣ解放を使用して）デバイス３００を別のシステムに移動させる例示的実施形態を示す。図３に示すように、１１ａ〜１１ｃにおいてデバイス３００（例えば、図１Ａ〜１Ｅに記載するＷＴＲＵ１０２ａ〜ｄなどの、ＵＥまたはＷＴＲＵ）が、システム間変更をトリガすることができる。例えば、１１ａにおいてデバイス２００は、ｅＮｏｄｅＢ３０２にＥＳＲを送信することができる。ｅＮｏｄｅＢ３０２は、図１Ｄに記載する例示的ｅＮｏｄｅＢ１６０ａ〜１６０ｃと同じまたは同様とすることができる。ｅＮＢ３０２は、ＥＳＲをＭＭＥ３０４に転送し、または送信して、ＭＭＥにＣＳフォールバックを行うよう示すことができる。ＭＭＥ３０４は、図１Ｄに記載する例示的ＭＭＥ１６２と同じまたは同様とすることができる。ＭＭＥ３０４は、１１ｂにおいてＳ１−ＡＰ要求メッセージで応答することができる。Ｓ１−ＡＰコンテキスト変更要求メッセージは、値を含むことができるＣＳフォールバックインジケータ、または（例えば、デバイス３００が音声通話を開始しているおよび／または受信している場合があるので）ｅＮｏｄｅＢ３０２にＣＳフォールバックを行うようにシグナリングすることができる他のインジケータを含むことができる。例えば、Ｓ１−ＡＰコンテキスト変更要求メッセージは、デバイス３００を（例えば、ＵＴＲＡＮ／ＧＥＲＡＮに）移動するべきであることをｅＮｏｄｅＢ３０２に示すことができる。図のように、ｅＮｏｄｅＢ３０２は、１１ｃにおいてコンテキスト変更を行うことができる、ＭＭＥ３０４へのＳ１−ＡＰコンテキスト変更応答メッセージで応答することができる。
【００７０】
一例では、１２において、オプションとして測定が求められることがある。例えば、１２において、ｅＮｏｄｅＢ３０２および／またはＭＭＥ３０４などの他の構成要素は、デバイス３００からの１または複数の測定を求めることがある。一例では、１または複数の測定を、ハンドオーバを行うべき、またはＰＳハンドオーバが行うことができるターゲットセル（例えば、最良のＧＥＲＡＮ／ＵＴＲＡＮセル）を決定するために使用することができる。
【００７１】
一例では、１３ａ、１３ｂ、および／または１３ｃの１または複数が行われることが可能である。例えば、１３ａにおいて、デバイス２００は、デバイス３００をＧＥＲＡＮセルにリダイレクトすることができるネットワーク補助セル変更（ＮＡＣＣ）命令を受信することができる。追加的にまたは代替的に、１３ｂおよび／または１３ｃを行うことができる。例えば、ｅＮｏｄｅＢ  ３０２は、１３ｂにおいて、例えばＧＥＲＡＮおよび／またはＵＴＲＡＮへのリダイレクションでＲＲＣ接続解放をトリガすることができる。ｅＮｏｄｅＢ３０２は、例えばＧＥＲＡＮおよび／またはＵＴＲＡＮへのリダイレクションでＲＲＣ接続解放をトリガすることができ、１または複数の物理的セル識別情報および／またはそれらの関連システム情報を含むことができる。このように、１３ｂおよび／または１３ｃは、デバイスのＲＲＣ接続およびリダイレクション情報の含有の解放を含むことができる（例えば、１３ｃは、解放メッセージにマルチセルシステム情報を含むために１３ｂとは異なる場合がある）。一例では、リダイレクションを用いたＮＡＣＣ命令または解放が使用されるかどうかにかかわらず、ＰＳ  ＨＯは、サポートされることはなく、ＰＳ  ＨＯは、進行中のＰＳセッションを中断することができる。
【００７２】
１４において、ｅＮｏｄｅＢ３０２は、Ｓ１−ＡＰコンテキスト解放要求メッセージをＭＭＥ３０４に送信することができる。このようなメッセージは、１または複数の例ではデバイス３００がＰＳサービスまたはセッションに利用できるかどうかに関する指示を含むことができる。１５において、ＭＭＥ３０４は、ｅＮｏｄｅＢ３０２におけるデバイスコンテキストおよびＳ−ＧＷにおけるｅＮｏｄｅＢ関連情報を解放することができる。一例では、ＭＭＥ３０４は、例えば無線リンク障害（ＲＬＦ）などの異常な状況によりＲＲＣが解放された場合、（例えば、８に記載するように）ベアラを一時停止することができる。
【００７３】
一例では、１６において、デバイス３０２は、ＲＡＴを変更することができる（例えば、送信元セルからターゲットセルに切り替えることができる、および／または無線シグナリング接続を確立することができる）。さらに、デバイス３０２は、ＬＡ更新、ＲＡ更新、ＬＡＵ、ＲＡＵなどを行うことができる。
【００７４】
１７ａにおいて、デバイス３００は、一時停止手続を開始して一時停止する、または例えば、ＳＧＳＮ３０８に転送されるＢＳＳ／ＲＮＳ３０６への一時停止メッセージを送信することによって、音声通話中にＰＳに対して一時停止されたステータスに入ることができる。ＳＧＳＮ３０８は、１７ｂにおいて、一時停止メッセージを受信することができ、一時停止手続を行うことができ、一時停止要求をＭＭＥ３０４に送信することができ、および／または一時停止応答を受信することができる。１８において、ＭＭＥ３０４は、（例えば、図２に記載する一時停止手続きよりも）１４におけるＳ１−ＡＰコンテキスト解放要求メッセージに基づいて、（例えば図のようにサービングＧＷおよび／またはＰ−ＧＷ／ＧＧＳＮに向かう）ベアラを保存するおよび／または一時停止することができる。
【００７５】
デバイス３００は、１９においてＣＭサービス要求を送信することによって、ＭＯ通話をセットアップし続けることができる。例えば、デバイス３００は、１９においてＣＭ要求をＢＳＳ／ＲＮＳ３１０に送信することができ、ＢＳＳ／ＲＮＳ３１０がメッセージを（例えば、単独でまたは別のメッセージ内にカプセル化して）ＭＳＣ３１２に転送することができる。２０ａにおいて、ＭＳＣ３１２は、ＢＳＳ／ＲＮＳ３１０に、およびデバイス３００に送信することができるＣＭサービス拒否メッセージで応答することができ、例えばデバイス３００がＭＳＣ３１２に登録されていない場合、２０ｂにおいてデバイス３００が、位置エリア更新手続を行うおよび／または開始することができる。デバイス３００は、２０ｃにおいてＣＳ  ＭＯ音声通話を確立することができる。例えばデバイス３００は、ＣＳ通話確立手続きまたは方法を開始することができる。
【００７６】
２１においてデバイス３００は、（例えば、ＣＳ通話が終了された後に、および／またはＰＳサービスが一時停止され、デバイス３００が特定のＲＡＴにある場合）ＰＳサービスを再開することができる。さらに、一例によれば、ネットワークは、ＰＳ  ＨＯをサポートすることができるが、ＬＴＥシステムは、リダイレクションを用いたＲＲＣ接続解放を使用してシステム間変更を実行することを選択することができる。例えば、これは、ＬＴＥにおける（例えばＥＳＲによる）ＣＳＦＢ要求が、緊急通話のためのＣＳＦＢの使用を示す場合に、行われることがある。
【００７７】
３ＧＰＰにおいては、ＷｉＦｉが使用されて、ユーザプレーントラフィックからＬＴＥシステムをオフロードすることができる。例えば、ｅＮＢがＷｉＦｉアクセスポイント（ＡＰ）を配置して、ＬＴＥエアインタフェースを通じて、およびＷｉＦｉ  ＡＰエアインタフェースを通じて、データを動的にまたは準静的に送信することができる。このように、ＬＴＥユーザプレーントラフィックを、部分的にまたは全体的に、ＷｉＦｉにオフロードすることができる。一例では、オフロード方法、例えばオフロードが発生するＰＤＣＰ、ＲＬＣなどのプロトコル層、またはオフロードを統制することができるルールおよびポリシーは、例ごとに様々であってもよい。
【００７８】
図４は、ＷｉＦｉを通じたオフロードを使用することができる例示的方法を示す。図４に示すように、ＷｉＦｉ  ＡＰ４２０は、例えば、インタフェース４０５を介して、ｅＮＢ４０２に接続して（例えば、配置して）、ｅＮＢ４０２がＷｉＦｉ  ＡＰ４２０を使用してＷｉＦｉを通じたダウンロードトラフィックの少なくとも一部などのトラフィックをオフロードすることができるようにする。例えば、デバイス４００を、ＷｉＦｉ  ＡＰ４２０およびｅＮＢ４０２に接続することができる。ｅＮＢは、デバイス４００をＷｉＦｉ  ＡＰ４２０に接続することができることを認識することができる。ｅＮＢ４０２は、例えば、ＷｉＦｉ  ＡＰ４２０を通じてダウンリンクトラフィックの少なくとも一部をオフロードすることを選択することができ、デバイス４００が、ｅＮＢ４０２およびＡＰ４２０から同時にデータを受信することができるようにする。同様に、アップリンクにおいて、デバイス４００を、ＬＴＥエアインタフェース４０３を通じて一部のデータを送信し、ＷｉＦｉエアインタフェース４０５を通じて他のデータを送信するように構成することができる。例として、ＡＰ４２０は、ｅＮＢ４０２およびＡＰ４２０を接続することができるインタフェース４０１を介して、デバイス４００から受信されるデータをｅＮＢ４０２に転送することができる。
【００７９】
本明細書の例は、この機能（例えば、ＷｉＦｉオフロード）を使用して、ＣＳＦＢに関連するユーザ体験を向上させること、例えば、システム間変更を行う場合、およびユーザのＰＳセッションを中断する場合に、ユーザ体験を向上させることができる。例えば、本明細書に記載するように、ＰＳ  ＨＯを用いて、またはＰＳ  ＨＯを用いずに、システム間変更を実現することができる。システム間変更では、ユーザのＰＳセッション（例えば、ユーザと関連するデバイスのＰＳセッション）が、次のうちの少なくとも１つに応じて、またはこれによって、中断されることがある。例えば、デバイスは、（例えば、デバイスがＭＳＣに登録されていない場合に）デバイスに許可されるおよび／または有効である位置エリア識別情報の変更により、またはこれに応じて、ターゲットシステムにアクセスすることができ、本明細書に（例えば、図２の４ａおよび図３の１０ｂに）記載するように位置エリア更新を行うことができる。さらに、デバイスおよび／またはターゲットシステムは、ＤＴＭをサポートせずに、ユーザのＰＳセッションを、ＣＳ通話が終了するまで一時停止することができる。一例によれば、ＣＳ通話は、完了するまでに数分かかることがあり、したがってＰＳ通話は、より長い期間一時停止されたままとなる。
【００８０】
一例では（例えば、ＰＳ  ＨＯがサポートされない場合）、デバイスは、ＨＯ中にセルにアクセスすることに比べて、ターゲットセルにアクセスするのにより時間がかかる場合がある。例えば、ＨＯを用いて、ターゲットセルをデバイスに対して選択することができ、送信元セルは、ターゲットセルにアクセスするためにデバイスによって使用される専用プリアンブルを提供することができ、デバイスが、ＨＯを用いない場合よりも速くターゲットセルにアクセスすることができるようにする。しかしながら、リダイレクションを用いた解放については、デバイスはなんらかの情報を与えられても、デバイスは、セルをスキャンし、選択することがある。デバイスは、例えば、ＬＴＥにおいてデバイスによって受信されたＲＲＣ解放メッセージに（例えば、選択されたセルが対応する情報を有する場合）提供された情報を使用することができる。
【００８１】
ＬＴＥシステム（例えば、図１Ａおよび図１Ｃ〜１Ｅに示される通信システム）などのシステムが、デバイスの接続を解放すること、およびそれをＧＥＲＡＮおよび／またはＵＴＲＡＮにリダイレクションすることによって、システム間変更を実現するおよび／または提供することができる。これが生じる場合に、ＬＴＥにおけるデバイスのＰＳセッションは、デバイスが例えばＧＥＲＡＮおよび／またはＵＴＲＡＮのＰＳドメインにアクセスするまで中断されることがある。一実施形態では、これは、音声通話のＣＳドメイン手続を開始することができる後に生じる場合がある。
【００８２】
本明細書に記載する例では、ＰＳセッションを中断するとユーザの体験に悪影響がある場合がある。例えば、ユーザが、実際に別の人に電話して、記事、ニュースイベント、および／またはインターネット投稿について話をすることがある。ユーザは、その別の人と話しながら、コンテンツを提供することができるウェブサイトから直接読むことを希望することがある。本明細書の例の一部では、たとえユーザが通話でウェブコンテンツについて話すことを望んでいても、例えばＰＳセッションはＣＳ通話が終わるまで一時停止されることがあるので、ユーザはそうすることができない。そのため、ＰＳセッションおよびＣＳセッションを同時に行うことはできないことがある。他の実施形態では、例えば、ＬＴＥからＵＴＲＡＮへのＰＳハンドオーバが成功した後に、またはＵＴＲＡＮへのリダイレクション後に、ＰＳセッションおよびＣＳセッションが同時に存在することができる。しかしながら、デバイスのＰＳセッションは、中断されることがあり、中断は、位置エリア更新手続きが行われる場合、より可能性が高い。
【００８３】
本明細書に記載するシステムおよび／または方法を提供し、および／または使用して、ＷｉＦｉオフロードの使用により、ＬＴＥ  ＰＳセッションをアクティブに維持しながらＣＳＦＢを行うことができる。例えば、ＷｉＦｉ  ＡＰを使用して、同時にＰＳセッションおよびＣＳセッションを維持して、ユーザがＣＳ音声通話を開始するまたはＣＳ音声通話中であると同時に、ウェブページにアクセスすることができるようにする。
【００８４】
図５は、Ｅ−ＵＴＲＡＮおよびＵＴＲＡＮカバレッジを含むまたは提供することができる例示的ネットワーク配置を示す。図５には示していないが、オペレータは、Ｅ−ＵＴＲＡＮおよびＧＥＲＡＮカバレッジを提供することができる。このように、Ｅ−ＵＴＲＡＮおよびＵＴＲＡＮカバレッジ重複に対して説明される、または提案される例は、Ｅ−ＵＴＲＡＮおよびＧＥＲＡＮカバレッジ重複に適用することもできる。一例では、ＵＴＲＡＮを使用することができる主要なＣＳドメイン無線アクセス技術（ＲＡＴ）の例として使用することがあるが、他のＲＡＴもまた、使用することがあって（例えば、本明細書の諸実施形態はこのＲＡＴへの適用可能性に限定されないことがある）、本明細書の例は、ＵＴＲＡＮとＧＥＲＡＮの両方に適用することができる。
【００８５】
一例では、重複するＥ−ＵＴＲＡＮおよびＵＴＲＡＮ／ＧＥＲＡＮカバレッジが存在することがある。例えば、図５に示すように、ＵＴＲＡＮカバレッジ５３０が、１または複数のＥ−ＵＴＲＡＮカバレッジエリア５３２ａ、５３２ｂに重なることがある。ＵＴＲＡＮカバレッジエリア５３０は、（例えば図１Ａおよび１Ｃ〜１Ｅに示すコアネットワーク１０３／１０４／１０５の１つと同様または同じである、および／またはそれらの構成要素の１または複数を含む）ＵＴＲＡＮコアネットワーク５３６と関連する、またはその構成要素であるｎｏｄｅＢ（ＮＢ）５３４または基地局を含むことができる。さらに、図のように、Ｅ−ＵＴＲＡＮカバレッジエリア５３２ａ、５３２ｂは、（Ｈ）ｅＮＢ５３８ａ、５３８ｂなどの、１または複数のｅＮＢおよび／またはＨｅＮＢ（（Ｈ）ｅＮＢ）を含むことができる。（Ｈ）ｅＮＢ５３８ａ、５３８ｂは、（例えば、図１Ａおよび１Ｃ〜１Ｅに示すコアネットワーク１０３／１０４／１０５の１つと同様または同じである、および／またはそれらの構成要素の１または複数を含む）ＬＴＥコアネットワーク５４０に関連付けられた、またはその構成要素であることがある。（Ｈ）ｅＮＢ５３８ａ、５３８ｂは、接続することができる（例えば、配置することができる）１または複数のＷｉＦｉ  ＡＰ５２０ａ、５２０ｂを有することができる。例えば、大学構内シナリオまたは集合住宅などの実施形態では、（Ｈ）ｅＮＢ５３８ａ（または５３８ｂ）およびそれに接続することができるＷｉＦｉ  ＡＰ５２０ａ（または５２０ｂ）が存在することがある。ＡＰ（例えば、５３８ａおよび／または５３８ｂ）を使用して、１または複数のオペレータポリシーに基づいてＥ−ＵＴＲＡＮをオフロードすることができる。
【００８６】
一例では、ＣＳ通話が要求されることがあるとき、ユーザは実際に同じ地理的位置にいることがあり、セルを変更しないことがある。例えば、ユーザが大学構内にいることがあって、デバイス５００などのデバイスが、ＨｅＮＢ３３８ａなどのＨｅＮＢに接続されることがある。ユーザは、ＣＳ通話を要求することがあり、これは、デバイス５００をトリガしてＣＳＦＢ要求を送信させ、デバイス５００にＣＳドメインにアクセスできるようにすることができる。図のように、ユーザは、ＬＴＥとＵＴＲＡＮの両方のカバレッジ（例えば、カバレッジエリア５３０および５３２）下の同じ空間にいることがある。デバイス５００は、ＣＳ通話が終了した後に元のＬＴＥに切り替えることができ、ユーザは、同じ地理的位置に、重複したＥ−ＵＲＡＮカバレッジエリア５３２およびＵＴＲＡＮカバレッジエリア５３０両方の下にいることがある。
【００８７】
本明細書に記載する諸実施形態は、（例えばＣＳＦＢの一部としての）システム間変更が、デバイス５００の既存のＰＳセッションに影響および／または中断を生じさせることのない方法を提供することができる。例では、次の前提条件のうちの１または複数を設定することができる。ｅＮＢおよび／またはＨｅＮＢを、ＡＰと接続し、および／または配置することができる。例えば、図５に示すように、（Ｈ）ｅＮＢ５３８ａを、ＷｉＦｉ  ＡＰ５２０ａと接続し、および／または配置することができる。さらに、デバイスはＬＴＥにあることがあり（例えば、ＬＴＥコアネットワーク５４０に接続される可能性があり）、アクティブＰＳセッションを有することがある。
【００８８】
例えば、デバイス５００は、モバイル発信（ＭＯ）またはモバイル着信（ＭＴ）ＣＳ音声通話の要求を受信することができる。デバイス５００は、ＭＯおよび／またはＭＴ  ＣＳ音声通話のためにＣＳＦＢを要求することができる。一例では、（例えば、デバイス５００がＣＳＦＢを要求した後に）、ＬＴＥシステム（例えば５４０）は、ＡＰ５２０ａを通じてデバイス５００のＰＳセッションをオフロードすることができる。デバイス５００のコンテキスト（例えば、ＵＥまたはデバイスのコンテキスト）は、ＬＴＥシステム５４０で（例えば、ＭＭＥ、ＳＧＷ、ｅＮＢ、および／または同様のものにおいて）引き続きアクティブにすることができる。デバイス５００は、ＡＰ５２０ａを通じてＰＳデータを送信するおよび／または受信することができる。さらに、デバイス５００は、ＧＥＲＡＮまたはＵＴＲＡＮなどのＣＳドメインにアクセスして、ＣＳ通話をかけることができる。例えば、デバイス５００は、ＮＢ５３４およびそれと関連するＵＴＲＡＮコアネットワーク５３６にアクセスして、ＣＳ通話をかけることができる。このとき、３ＧＰＰ  ＲＡＴは、例えば無線レベルで、デバイス５００においてアクティブであることができ、デバイス５００は、ＣＳドメインにアクセスすることができ、ＣＳドメインでアクティブであることができる。ＮＡＳレベルにおいては、ＬＴＥのＥＭＭ  ＮＡＳエンティティおよび／またはＧＥＲＡＮ／ＵＴＲＡＮのＭＭ  ＮＡＳエンティティは、共にアクティブであることができる。
【００８９】
一例では、デバイス５００は、ＭＳＣおよび／またはＶＬＲを用いてＣＳ通話をかけることができる。デバイス５００は、ＳＧＳＮとコンタクトをとることはない。そのためＳＧＳＮは、ＧＥＲＡＮ／ＵＴＲＡＮにおけるデバイスの存在を知らない場合がある。これは、ネットワーク運用モード（ＮＭＯ）にかかわらず発生することがある。例えば、ネットワーク運用モードが１（例えばこれは、連携ルーティングおよび位置エリア更新手続を使用することができる）であっても、デバイス５００は、ＮＭＯをオーバーライドすることができ、位置エリア更新手続を行うことができる。
【００９０】
ＣＳ通話がアクティブでありながら、デバイス５００がＡＰ５２０ａから離れる場合、デバイスのＰＳセッションを、ＧＥＲＡＮ／ＵＴＲＡＮドメインに移動することができる。これは、ＡＰ５２０ａとのデバイスの接続が悪化して、ある許容最低限を下回った場合、発生することがある。
【００９１】
さらに、これが行われるまたは実施されることがあっても、デバイス５００が既存のＣＳＦＢを行った場合に存在するほどの遅延は存在しないことがある。これは、ＣＳ通話が確立された、または終了された後に、ＰＳセッションがＧＥＲＡＮ／ＵＴＲＡＮで再開されることができるからである。この例では、ＤＴＭをサポートすることがあると仮定すると、ＣＳ通話はすでにセットアップされているので、ＰＳセッションを、ＧＥＲＡＮ／ＵＴＲＡＮに直接移動することができる。
【００９２】
デバイス５００がＡＰ５２０ａから離れることがなく、ＣＳ通話が終了する場合、デバイス５００は、（例えば、カバレッジエリア５３２を介して）Ｅ−ＵＴＲＡＮに再びアクセスすることができ、ＬＴＥシステム５４０は、その後Ｅ−ＵＴＲＡＮを通じてＰＳセッションの少なくとも一部を再開することができる。システムは、ＡＰ５２０ａを通じて一部のトラフィックをオフロードし続けることもできる。一例では、「ＣＳＦＢ中のオフロード」（例えば、ＯＤＣ）は、本明細書に記載するように、ＣＳＦＢ／システム間変更中に、またはこれを行っている間にＰＳセッションをオフロードするためのＷｉＦｉの使用を照会することができる。
【００９３】
図６は、ＣＳＦＢ中のＷｉＦｉオフロードに使用することができる例示的方法を示す。例えば、３１において、図５のデバイス５００などのデバイスが、ＥＰＳおよび／またはＣＳＦＢのために連携アタッチを行うことができる。一例では、連携アタッチは、デバイスがＥ−ＵＴＲＡＮ（例えば、図５のカバレッジエリア５３２ａ、５３２ｂ）にありながら、（例えば、図５のＬＴＥ５４０などのＬＴＥにおける）ＰＳドメインおよび（例えば、ＭＳＣ／ＶＬＲを介した）ＣＳドメインへの連携登録を含むことができる。
【００９４】
３２において、デバイスは、ＬＴＥを通じた（例えば、図５の（Ｈ）ｅＮＢ５３８ａを介した）および／またはＷｉＦｉを通じた（例えば、図５のＡＰ５２０ａを介した）アクティブＰＳセッションを有することができる。アクティブＰＳセッションを介して、ＰＳデータを、（Ｈ）ｅＮＢとデバイスとの間で交換することができ、オフロードされたＰＳデータを、ＡＰとデバイスとの間で交換することができる。
【００９５】
ＣＳＦＢをトリガするために、デバイスは、本明細書に記載するように、３３においてＭＭＥ（例えば、ＬＴＥネットワークにあることが可能であり、図１Ｄに記載する例示的ＭＭＥ１６２と同様または同じであることが可能であるＭＭＥ）にＥＳＲを送信することができる。ＥＳＲは、ＭＭＥにＣＳフォールバックを行うように示すことができる。ＭＭＥは、３４においてコンテキスト変更メッセージで（Ｈ）ｅＮＢに応答することができる。コンテキスト変更メッセージは、ＣＳＦＢインジケータまたは指示のオフロードを含むことができる。ＣＳＦＢインジケータまたは指示のオフロードは、（Ｈ）ｅＮＢにオフロードするよう、またはＣＳＦＢ中のトラフィックをオフロードすべきかどうかを決定するよう、シグナリングすることができる値または他の指示を含むことができる（例えば、デバイス３００は音声通話を開始および／または受信することが可能であるため）。
【００９６】
一例では、３５において（Ｈ）ｅＮＢは、（例えば、ＣＳ通話などの音声通話の開始により）ＡＰを通じてトラフィックをオフロードするかどうかを決定することができる。例えば、（Ｈ）ｅＮＢ構成および／またはＣＳＦＢ指示のためのオフロードなどのＭＭＥ指示は、（Ｈ）ｅＮＢにトラフィックをオフロードするようシグナリングし、または示すことができる。（Ｈ）ｅＮＢは、（例えば、コンテキスト変更メッセージに応答して）トラフィックをオフロードすべきかどうかを決定するために、構成を分析することができる、および／またはＭＭＥ指示を解析することができる。
【００９７】
（例えば、構成および／または指示が、（Ｈ）ｅＮＢに対応する、または（Ｈ）ｅＮＢにトラフィックをオフロードするよう示す値を含むことが可能である場合）構成および／または指示に基づいて、（Ｈ）ｅＮＢは、ＡＰにおいてトラフィックの少なくとも一部をオフロードすることを決定することができ、このような決定をデバイスに通知することができる。例えば、３６において（Ｈ）ｅＮＢは、システム間変更コマンドをデバイスに提供することができる。このようなコマンドは、デバイスに、デバイスがＡＰを通じてデータを受信することができることを示す。３７ａにおいて（Ｈ）ｅＮＢは、次にＰＳデータをＡＰに送信することができ、ＡＰが次に３７ｂにおいてデータをオフロードするためにデータをデバイスに送信することができる。
【００９８】
３８においてデバイスは、ＣＳドメインにアクセスして、例えばＣＳ通話を開始するおよび／または受信することができる。ＣＳドメインにアクセスするには、一例では、デバイスは、３９において（例えば必要に応じて）、ＣＭサービス要求を送信することができる、および／または位置エリア更新を行うことができる。一例では、デバイス５００は、ＭＳＣおよび／またはＶＬＲを用いてＣＳ通話をかけることができる。そのため、図６に示すように、デバイスは、ＳＧＳＮとコンタクトをとることはない。そのため、ＳＧＳＮは、ＧＥＲＡＮ／ＵＴＲＡＮにおけるデバイスの存在を知らないことがある。これは、本明細書に記載するように、ネットワーク運用モード（ＮＭＯ）にかかわらず発生する場合がある。
【００９９】
４０においてデバイスは、ＡＰを通じてＰＳデータを受信することができ、同時に、ＧＥＲＡＮ／ＵＴＲＡＮおよび／またはＥ−ＵＴＲＡＮなどの別のドメインを通じてＣＳ通話を行うことができる。４１において、ＣＳ通話が終了した後、デバイスは、ＬＴＥシステムおよび／または別のシステムに再びアクセスすることができる。４２においてデバイスは、（Ｈ）ｅＮＢおよび／またはＭＭＥに、それがＬＴＥシステムにおよび／または別のシステムに戻ったことを通知することができる。４３において（例えば３２と同様に）デバイスは、ＬＴＥを通じておよび／またはＡＰを通じてアクティブＰＳセッションを再開することができる。
【０１００】
４４において（例えば、ＣＳ通話がアクティブであることが可能でありながら、デバイスがＡＰから離れる場合）、デバイスのＰＳセッションを、ＧＥＲＡＮ／ＵＴＲＡＮドメインに移すことができる。これは、ＡＰとのデバイスの接続が、一定の許容最低限を下回って悪化した場合に行われることもある。例えば、デバイスがＡＰからのモビリティを検出する場合、デバイスは、ＧＥＲＡＮ／ＵＴＲＡＮのＰＳドメインにアクセスすることができ、および／またはＰＳデータを、ＧＥＲＡＮ／ＵＴＲＡＮを通じて再開することができる。
【０１０１】
例として、次のうちの１または複数を提供し、および／または使用して、図６の例示的方法を行う、および／または、例えば図５の構成要素を用いて、ＣＳＦＢのためにＷｉＦｉを使用してトラフィックをオフロードすることができる。例えば、一実施形態によれば、加入情報（例えば、新しい加入情報）を、例えばＨＳＳで、各ユーザに対して定義することができ、加入情報が「ＣＳＦＢ中のオフロード」（ＯＤＣ）が許可されるかどうかを示すことができる。この情報を、ＭＭＥが、デバイスのコンテキストをフェッチすることができるとき、ＭＭＥに提供することができ、例えば、ＭＭＥをトリガしてＨＳＳからデバイスのコンテキストをフェッチすることができるアタッチまたはトラッキングエリア更新（Attach or Tracking Area Update）などの登録手続に従うことを含む。ＭＭＥは、本明細書に記載するように、この情報を（Ｈ）ｅＮＢにさらに提供することができる。
【０１０２】
例えば、ＭＭＥが、別のＭＭＥまたはＳＧＳＮからデバイスのコンテキストをフェッチすることができる。一例では、コンタクトされたＭＭＥまたはＳＧＳＮは、要求しているＭＭＥにそのような情報を含めることができる。そのため、送信元ＭＭＥは、このときＨＳＳがコンタクトされていないとしても、この情報を有することができる。または、ＭＭＥを、オペレータポリシーに従って、このような指示を用いて構成することができる。ＭＭＥは、デバイスにサービスを提供している可能性のある（Ｈ）ｅＮＢにこの指示を提供することができる。これは、ＵＥコンテキスト変更要求などの、ただしこれに限定されないＳ１−ＡＰメッセージ中で行われ、または実施されることが可能である。
【０１０３】
さらにデバイスは、デバイスがＯＤＣを行うことができる可能性があることを、ネットワーク（例えば、ｅＮＢおよび／またはＭＭＥ）に示すこともできる。これは、ｅＮＢ／ＭＭＥに送信することができるデバイス能力情報に、情報要素（例えば、新しい情報要素）またはビット位置を含めることによって実施することができる。したがって、既存の能力指示メッセージを、この新しい情報を運ぶために拡張することができる。代替的にまたは追加的に、ＵＥは、任意の既存のまたは新しいＲＲＣメッセージ／ＮＡＳメッセージを使用して、それぞれｅＮＢ／ＭＭＥにこれを示すことができる。
【０１０４】
一例では、本明細書に記載するように、（例えば、ＣＳＦＢの要求があるとき）ＷｉＦｉオフロードを、例えばＣＳＦＢに（例えば、可能であれば）使用することがある。このようなＣＳＦＢ要求は、音声通話を含むことができ、ＣＳドメインの付加サービスおよび位置サービスを含むことができ、その両方が、ＵＥのシステム間変更などを生じさせることがある。そのため、ターゲットシステムにおいてＰＳサービスがサポートされているかどうかにかかわらず、ＣＳＦＢ／システム間変更が行われる場合に、ＷｉＦｉオフロードを使用して、ＰＳセッションを維持することができる。代替的にまたは追加的に、ターゲットシステムがＰＳ  ＨＯをサポートすることがない場合、またはＤＴＭをデバイスまたはターゲットネットワーク（例えば、ＧＥＲＡＮ／ＵＴＲＡＮ）によってサポートすることがない場合、ＷｉＦｉオフロードを、使用することがある。
【０１０５】
本明細書に記載するように、デバイスを、ＣＳＦＢの前にＡＰにアタッチすることがある、またはアタッチしないことがある。しかしながらオフロードするために、デバイスはＡＰにアタッチすることができる。一例では、デバイスがＣＳＦＢの前にアタッチされない場合、ＣＳ通話はアタッチメントをトリガすることができる。さらにデバイスは、１または複数の選択（例えば、ＣＳ通話の前にアタッチされるか、後にアタッチされるか）に基づいてオフロードすることができる。
【０１０６】
そのため、ＷｉＦｉオフロードをサポートするために本明細書に記載するように、システム間変更前の１または複数のデバイスアクションを、提供し、および／または行うことがある。例えば、次のうちの１または複数（例えば、１または複数の組合せで）を使用し、および／または行うことがある。一例では、たとえＥＳＲがネットワークに送信されていない場合でも、ユーザによってＣＳＦＢの要求が行われたとき（例えば直ちに）、デバイスは、ＷｉＦｉ  ＡＰと関連付けすることができる。デバイスは、ＣＳＦＢの要求が受信された（例えば、ＭＯ要求が存在する可能性がある）とき、ＡＰと関連付けすることができ、デバイスは、（例えば、ＮＡＳメッセージのページングまたは受信により）ＣＳＦＢのＭＴ要求を受信することがある、および／またはＵＥは、ＥＳＲをＭＭＥに送信することがある。デバイスがＥ−ＵＴＲＡＮにあるときに、デバイスが（例えばＬＴＥにおける）ＰＳドメインおよび（例えばＭＳＣ／ＶＬＲを介した）ＣＳドメインへの連携登録を行った場合に、デバイスは、ＡＰと関連付けすることができる。
【０１０７】
さらに、デバイスがＣＳＦＢのために関連付けしようとするＷｉＦｉ  ＡＰは、本明細書に記載するように、Ｅ−ＵＴＲＡＮネットワークの制御のもとにあり、Ｅ−ＵＴＲＡＮがその制御を介してデータをオフロードすることができる。デバイスは、事前設置、Ｅ−ＵＴＲＡＮシステム情報一斉送信などにより、そのような情報を有することができる。デバイスは、例えばＣＳＦＢの要求が利用可能である場合（例えば、ＥＳＲを送信する場合、またはＥＳＲを送信する前または後に）、デバイスをＡＰと関連付けることがあることをネットワークに示すことができる。
【０１０８】
例えば、デバイスは、デバイスをＡＰと関連付けることができることをＭＭＥに示すことができる。これは、ＮＡＳメッセージ中で行うことができる。これは、拡張サービス要求メッセージ中で行うことができる。例えば、ＥＳＲでは、ＵＥによって使用される情報要素を定義することができ、ＵＥがＡＰと関連付けられるかどうかを示すことができる。ＵＥはまた、オプションとして（例えば、ＡＰ識別情報の形を使用して）それを関連付けることができるＡＰを識別することができる。一実施形態では、デバイスからのこれらの指示は、他の理由で送信されることがあり、ＣＳＦＢの場合に限定されない可能性がある。そのため、本明細書に記載する実施形態は、必ずしもＣＳＦＢのためであるとは限らない他の例に適用することもある。例えば（例えば、ＥＳＲがすでに送信された可能性がある場合）、デバイスは、さらに別のＮＡＳメッセージ（例えば、新しいまたは既存であるが変更されている）を送信して、ＡＰとのその関連性を示すことができる。ＳＳＩＤ、ＢＳＳＩＤ、割り当てられたＵＥ  ＩＰアドレスなどのＡＰの関連付けの詳細もまた、ＭＭＥに報告することができる。
【０１０９】
デバイスは、デバイスをＡＰと関連付けることができることをｅＮＢにさらに示すことができる。これは、ＲＲＣ接続確立手続きの一部として行われることが可能である。これは、既存のまたは新しいＲＲＣメッセージを使用してＲＲＣ接続が確立された後に行うこともできる。ＳＳＩＤ、ＢＳＳＩＤ、割り当てられたＵＥ  ＩＰアドレスなどのＡＰ関連付けの詳細もまた、ｅＮＢに報告することができる。この指示（例えば、ＡＰとのＵＥの関連付け）を受信すると、ｅＮＢは、Ｓ１−ＡＰメッセージ（例えば、新しいまたは既存であるが変更されている）を使用して、これについてＭＭＥに通知することができる。
【０１１０】
デバイスは、ＯＤＣが望まれる場合があるかどうかをＭＭＥまたはｅＮＢに示すこともできる。これは、ＮＡＳメッセージまたはＲＲＣメッセージにおいてそれぞれ情報要素（ＩＥ）（例えば新しいまたは既存）を定義することによって行うことができる。一例では、デバイスは、各ＣＳＦＢ要求によりこれを示すことができる、および／または、さらなる変化が、デバイスによってＭＭＥまたはｅＮＢに明示的に信号で伝えられるまで、ＣＳＦＢ要求に対して１度これを示すことができる。
【０１１１】
デバイスは、Ａｔｔａｃｈ、ＴＡＵ、ＥＳＲなどのＮＡＳメッセージで、ＯＤＣを提供し、および／または使用することができることを、ＭＭＥに示すことができる。またデバイスは、ＲＲＣメッセージ（例えば、既存のまたは新しい）で、ＯＤＣが提供され、および／または使用されることを、ｅＮＢに示すことができる。デバイスは、ＥＳＲでＣＳＦＢ要求ごとにＯＤＣを示すことができる。デバイスは、ＭＯ  ＣＳＦＢ要求のための（例えば、唯一）、またはＭＴ  ＣＳＦＢ要求のための（例えば、唯一）、ＯＤＣを示すこともできる。一例では、緊急音声通話のためにＣＳＦＢ要求があるとき、デバイスおよび／またはシステムは、ＯＤＣを回避することができる。
【０１１２】
一実施形態によれば、デバイスは、ユーザ操作および／または設定に基づいて、本明細書に記載する１または複数の指示を提供することができる。例えば、ユーザは、（例えば、ユーザインタフェースを介して）特定の設定を行って、または入力して、デバイスを使用してここに設定および／または指示を反映することができる。デバイスは、ユーザに、ＣＳＦＢ通話ごとに、および／またはシステムへの登録後に一度、ＯＤＣに対するユーザの希望を入力するよう要求することができる。デバイスを、ＯＤＣを行う（または行わない）ポリシーで構成することができ、これらのポリシーを、ＡＮＤＳＦ、ＯＭＡ  ＤＭ、ＯＴＡ、ＳＭＳなどにより提供することができる。一例では、デバイスは、例えばシステムが、一斉送信／専用ＲＲＣメッセージおよび／またはＮＡＳメッセージを介して本明細書に記載するようにＯＤＣをサポートすることができる場合、ＯＤＣを要求することができる。
【０１１３】
このように、ＷｉＦｉオフロードを行う決定を、例えばＬＴＥへの戻り方に関する決定がデバイスに委ねられていることと同様に、デバイスに委ねることができる。例えば、ＧＥＲＡＮへ進むよう試み、ＧＥＲＡＮにおいて、ＰＳ  ＨＯをサポートすることができるかどうかを確認することを示すデバイスローカルポリシーを、提供することができる。一例では、ポリシーは、ＰＳ  ＨＯがサポートされない場合、オフロードが行われるべきである、または行われるべきではないことを示すことができる。さらに、一例では、デバイスは、ＤＴＭがサポートされないことがあること、およびオフロードが開始されるべきであることを示すことができる。このようなポリシーを、本明細書に記載するように、デバイスの構成におくことができる。
【０１１４】
一実施形態では、デバイスは、例えばそれが、デバイスまたはユーザに知られている特定のＡＰと関連する場合、ＯＤＣを要求することができる。例えば、いくつかのＡＰ（例えば、ユーザの自宅のＡＰ）との関連付けが、デバイスをトリガして、ＯＤＣを要求することがある。ユーザは家にいるか、出かけていないからである。一方では、大学構内のランダムＡＰは、ＯＤＣが使用される可能性があることを必ずしも意味しないことがあり、ユーザの介入が必要とされる場合がある。そのため、デバイスは、デバイスを所与のＡＰまたはＡＰのリストと関連付けることができるとき、（例えば、ユーザインタフェースを介してユーザによって）ＯＤＣを要求するように構成される。デバイスは、例えば、
デバイスが接続されたＡＰを有し、デバイスをオプションとしてＡＰと関連付けることができる特定のＣＳＧセル（例えば、ユーザのＨｏｍｅ  ｅＮＢ）の下にある場合、ＯＤＣを要求することができる。
【０１１５】
デバイスは、ＯＤＣが望まれている可能性があるかどうかをｅＮＢに通知することができる。この指示に関する提案を、ＭＭＥおよびｅＮＢに送信することができる。デバイスは、この指示をＲＲＣメッセージに含めることができ、または新しいＲＲＣメッセージを、そのように定義することができる。デバイスは、ＥＳＲを送信した後にこのＲＲＣメッセージを送信することができ、またはＥＳＲ  ＮＡＳメッセージを伝えることができるメッセージにこれを含めることができる。
【０１１６】
さらに、デバイスを、それによりＯＤＣがサポートされることが可能であるＡＰのリストと共に構成することができる。したがって、一例では（例えば、デバイスがこれらのＡＰの１または複数に接続されることがある場合）、ＵＥは、ＯＤＣサポートを想定することができ、ゆえにＯＤＣを要求することができる。さらに、ＵＥは、ＯＤＣをサポートすることができるＣＳＧ  ＩＤなどのｅＮＢ  ＩＤのリストを含むことができる。そのため、ＵＥがこれらのｅＮＢによってサービスを提供される場合、ＵＥは、ＯＤＣサポートを想定することができ、ゆえに上述のようにＯＤＣを要求することができる。
【０１１７】
ＭＭＥのための１または複数のアクションを、本明細書に記載するように、ＣＳＦＢのためのＷｉＦｉオフロードで提供し、および／または使用することができる。例えば、次のアクションのうちの１または複数を、ＭＭＥによって（例えば、様々な組合せおよび順序で）行うことがある。一実施形態では、ｅＮＢが本明細書に記載するようにいくつかのイベントおよび／または決定についてＭＭＥに知らせた後に、これらのアクションの一部を行うことができる。
【０１１８】
例えば、ＭＭＥは、ＯＤＣがシステムによってサポートされる場合があるかどうかをＵＥに示すことができる。これは、新しいＩＥをＮＡＳメッセージに含めることによって行うことができる。ＭＭＥは、ＣＳＦＢ要求が保留中である場合、ＵＥがＯＤＣを有することが許可されることを、ｅＮＢに通知することができる。これは、ＭＭＥによってｅＮＢに送信されたＵＥコンテキスト変更要求メッセージに新しいＩＥを含めることによって行うことができる。このメッセージは、典型的はに、「ＣＳＦＢインジケータ」ＩＥを含むことができ、したがってＭＭＥは、既存のＩＥと共に、提案された新しい指示を含むことができる。
【０１１９】
ＭＭＥは、この指示を送信し、またはオペレータポリシー、ＵＥ加入情報、ＵＥ能力、およびｄＮＢがＡＰに接続することができるかどうか、またはシステムがＷｉＦｉオフロードを行うことができるかどうかに基づいて、「ＯＤＣ許可」または「ＯＤＣ不許可」を反映するようにその値を設定することができる。ＭＭＥは、ＣＳＦＢ要求が行われることがあるとき、ＵＥがすでに、ユーザデータベアラセットアップを有する場合、ＯＤＣを行うよう決定することもできる。
【０１２０】
ＭＭＥは、ＵＥからの指示に従って、ＯＤＣを使用することを決定することができる。例えば、上述したように、ＵＥは、ＯＤＣが要求されることをＥＳＲ中に示すことができる。一方、ＵＥが、ＯＤＣが要求されないことを示す場合、ＭＭＥはＯＤＣを行わないことを決定することができる。
【０１２１】
したがって、ＭＭＥは、ＡＰに関連付けられているＵＥからの指示を受信していることがあり、またはＭＭＥは、（次のセクションで提案されるように）ＷｉＦｉオフロードがサポートされるｅＮＢからの指示を受信していることがあり、これらの指示の少なくとも１つに基づいて、ＭＭＥは、ＵＥにＯＤＣを使用することを決定することができ、したがってｅＮＢに対してこの指示を含むことができる。ｅＮＢは、その後、ＣＳＦＢを実現する場合、ＵＥにＯＤＣを行うことができる。一実施形態によれば、ＭＭＥは、ＵＥが関連付けられた可能性があるＡＰ識別情報をｅＮＢに提供することもできる。
【０１２２】
本明細書に記載する実施形態では、ＭＭＥは、（例えば、本明細書に記載する要因の少なくとも１つに基づいて）ＯＤＣを行う決定をすることができる、および／またはＯＤＣをＵＥコンテキスト変更要求などのＳ１−ＡＰメッセージで行うことができるかどうかをｅＮＢに通知することができる。ＭＭＥは、ＩＥまたはビット（例えば、新しいＩＥまたはビット）を使用して、ＣＳＦＢ要求の間「ＯＤＣ」または「ＯＤＣなし」を示すことができる。ＭＭＥは、ＯＤＣがＵＥに許可される可能性があることをｅＮＢに通知することができ、ＯＤＣが使用されるかどうかを決定することをｅＮＢに委ねることができる。ｅＮＢは、各ＣＳＦＢ要求に対するその決定について、ＭＭＥに通知することができる。
【０１２３】
ＭＭＥは、デバイスがＣＳＦＢを行っている間にＯＤＣサービスを有することをＳＧＳＮ（例えば、ＭＭＥと接続することができるＳＧＳＮの１または複数）に通知することができる。これは、ＰＳセッションをＧＥＲＡＮ／ＵＴＲＡＮに転送する場合、ＵＥがルーティングエリア更新（ＲＡＵ）手続きを行う結果として行うことができる。一例では、ＳＧＳＮは、この指示を使用して他のアクションをとることができる。例えば、ＳＧＳＮは、デバイスがＲＡＵを行うのを待つことなく、デバイスのコンテキストをフェッチすることができる。さらに、ＭＭＥは、デバイスがＳＧＳＮとＲＡＵを行わない場合でも、デバイスに接続しているＳＧＳＮに直接デバイスのコンテキストを転送することができる。ＭＭＥは、ＣＳＦＢとは異なる理由のためにこのアクションをとることができる（例えば、保留中であるハンドオーバ手続きをスピードアップするためにそうすることができる）。ＭＭＥは、例えばＯＤＣを行う決定が行われたとき、またはｅＮＢがＭＭＥにＯＤＣが（例えば本明細書に記載するように）アクティブであることを通知する場合、ＳＧＳＮに通知することができる。例えば、ＨＯにおいてＭＭＥは、ＧＥＲＡＮに進み、ＨＯがＳＧＳＮへの転送をサポートしたかどうかを確かめることができる。しかしながら、一例では、データがＷｉＦｉを通じて再開される場合、ＳＧＳＮへのコンテキスト転送が行われないことがあり、および／またはＭＭＥは、ＳＧＳＮにオフロードすることをシグナリングして、ＧＥＲＡＮを通じたＳＧＳＮオフロードを行わないことを通知することがある。
【０１２４】
一例では、デバイスは、（例えば、システム間変更後の可能なときいつでも）ＲＡＵを行うことができ、次にＯＤＣがアクティブであることをＳＧＳＮに示すことができる。これは、ＳＧＳＮがＵＥのコンテキストをＭＭＥからフェッチできるようにすることができるが、ＳＧＳＮは、いかなるアクションをもとらず、ＰＳセッションをその制御下に移すことができる。したがって、ＭＭＥからコンテキストをフェッチするとき、ＭＭＥは、ＯＤＣがアクティブであるかどうかを示すことができる。ＳＧＳＮは、デバイスまたはＭＭＥがそうするよう示した後、セッションをその制御下に移すことができる。
【０１２５】
ＯＤＣのために（例えば、ＭＭＥがＯＤＣを行うことを決定することができ、したがってｅＮＢに知らせた後、または本明細書に記載するようにＯＤＣがアクティブである可能性があるというｅＮＢからの指示を受信した後）、ＭＭＥは、たとえデバイスがＥ−ＵＴＲＡにおいてアクティブではないことがあっても（例えば、デバイスのＥ−ＵＴＲＡ無線がオフであることがある）、デバイスのコンテキストを維持することができる。
【０１２６】
ＭＭＥは、ＵＥがＯＤＣを有するかどうかを示すことができるフラグを定義し、および使用することができる。そのため、ＯＤＣを使用すると、ＭＭＥは、一例として「ＯＤＣアクティブ」を示すことができる値にフラグを設定することができる。さらに（例えば、デバイスがＬＴＥシステムに戻った後）、ＭＭＥはフラグを「ＯＤＣ非アクティブ」に設定することができる。しかしながら、（例えば、デバイスがＬＴＥシステムに戻ることができない場合）、ＭＭＥは、現在存在するアクションをとることができる（例えば、デバイスはもはやＥＭＭ接続（EMM-CONNECTED）されていないと考えることができる）。
【０１２７】
デバイスがＣＳドメインにアクセスすることができ、ＬＴＥシステムがＯＤＣを行うことを決定することができる間、たとえデバイスがＭＭＥとのＮＡＳシグナリング接続を有することができないとしても、ＭＭＥは、デバイスのコンテキストを接続されたモードであるとして維持することができ、また逆の場合も同様である。ＭＭＥは、デバイスがＧＥＲＡＮ／ＵＴＲＡＮでＰＳセッションを再開することができると決定されるまで、デバイスのユーザプレーンをアクティブに維持することができる。さらに、デバイスがＯＤＣをアクティブにしてＧＥＲＡＮ／ＵＴＲＡＮにある間、ＭＭＥは、新しいベアラの変更またはアクティベーションなど、セッション管理のためにＰＤＮ  ＧＷが開始する要求を拒否することがある。
【０１２８】
一例では、ＭＭＥは、これらの要求を受け入れ、それに応じてＳ１ベアラを変更することができる。例えば、ＭＭＥは、デバイスのＬＴＥへの復帰を知らせて、デバイスにおいて対応するＥＰＳ  ＮＡＳベアラコンテキストおよび無線リソースを変更することができる。ＭＭＥは、これについてｅＮＢに通知することもでき、例えばデバイスがＬＴＥに戻った後に、ｅＮＢがそれに応じてデバイスの無線ベアラを再構成することができるようにする。さらに（例えば、ＯＤＣがアクティブのデバイスに対してＳ１ベアラが変更される可能性があるとき）、ｅＮＢは、これらの変更を保存することができ、および／または、例えばデバイスが同じセルに戻ったことをｅＮＢが検出することができるとき、それに応じてデバイスのベアラを構成することができる。そのため、ネットワーク側で既にベアラの変更が行われていたとしても、ＭＭＥとｅＮＢの両方が、デバイスとの対応するシグナリングを、ＬＴＥシステムへのそれの復帰まで遅らせることができ、その後ＭＭＥおよび／またはｅＮＢは、所望のシグナリングを行うことができる。
【０１２９】
さらに、１または複数のｅＮＢアクションを、本明細書に記載するようにＣＳＦＢのためにＷｉＦｉオフロードで提供し、および／または使用することができる。例えば、次のアクションのうちの１または複数を、ｅＮＢによって（例えば、１または複数の組合せまたは順序で）行うことができる。ｅＮＢは、ＯＤＣのサポートを一斉送信することができる。オプションでは、ｅＮＢは、（例えば、ＵＥが特定のＡＰと関連付けられることがあるとき）特定のＡＰに対してＯＤＣのサポートを一斉送信することができる。
【０１３０】
実施形態によれば、ｅＮＢは、次のうちの１または複数を（例えば、様々な組合せまたは順序で）使用してＯＤＣを行うことを決定することができる。例えば、ｅＮＢは、各ＣＳＦＢに対してＯＤＣを実施することを決定することができる。オプションでは、ｅＮＢは、ＵＥが関連付けられているＡＰにｅＮＢを接続することができる場合、ＯＤＣを実施することを決定することができる。そのため、ｅＮＢは、（例えば、本明細書に記載するように）ＡＰとのその関連付けについてのＵＥからの指示を使用して、ＯＤＣを行うことができる。ｅＮＢは、（例えば、本明細書に記載する提案を使用して）ＭＭＥからの要求または指示に従って、ＯＤＣを実施することをさらに決定することができる。ｅＮＢは、（例えば、本明細書に記載するように）ＵＥからの要求に従って、ＯＤＣを行うことを決定することもでき、ｅＮＢは、ＯＤＣがデバイスによってサポートされるというデバイスからの指示に基づいて、ＯＤＣを実施することを決定することができる。
【０１３１】
一実施形態では、ｅＮＢは、デバイスがＡＰと関連付けられることができることをＭＭＥに通知することができる。これは、ＣＳＦＢ手続き中に、またはｅＮＢがＳ１インタフェースなどのインタフェースを通じてＭＭＥに送信することができるＮＡＳメッセージを使用して、行うことができる。例えば、指示を、ＩＥとしてＳ１−ＡＰメッセージに含めることができる。
【０１３２】
ｅＮＢは、デバイスからのＷｉＦｉ測定レポートに基づいてＯＤＣを実施することをさらに決定することができる。例えば、一実施形態では、ＷｉＦｉ信号強度（例えば、ＲＳＳＩ）は、ある閾値よりも優れているまたは大きい場合、ｅＮＢがＯＤＣを行うことができる。
【０１３３】
ｅＮＢを、隣接セル、および隣接セルでＰＳ  ＨＯ（またはＤＴＭ）がサポートされるかどうかについての情報を用いて構成することもできる。そのため（例えばセルがターゲットセルとして選択された後）、ｅＮＢは、ＯＤＣを行うか、ＰＳ  ＨＯサポートおよび／またはターゲットセルのＤＴＭサポートに基づかないかを決定することができる。例えば、測定または他のローカル構成により、ｅＮＢは、コアネットワークがＰＳ  ＨＯをサポートすることができない、および／またはＤＴＭがサポートされないセルに、デバイスをリダイレクトすることを選択した場合、ｅＮＢはＯＤＣを行うことを選択することができる。一例では、デバイスは、デバイスがＤＴＭをサポートすることができるかどうかをｅＮＢ（および／またはＭＭＥ）に通知することができる。そのため、一実施形態によれば、ｅＮＢは、例えばＤＴＭがデバイスによってサポートされない場合、ＯＤＣを使用することを選択することができる。ＭＭＥは、（例えば、デバイスから受信される場合）この情報を、Ｓ１ＡＰメッセージによりｅＮＢに提供することができる。
【０１３４】
一例では、ｅＮＢは、ＣＳＦＢの一部としてＰＳ  ＨＯを行わないと決定することがあるＯＤＣを行うことができる。そのため、ｅＮＢが、リダイレクションで（例えば、オプションとして解放メッセージ中のターゲットシステム情報のサポートで）セル変更順序またはＲＲＣ解放を行うことを決定する度に、ｅＮＢは、例えばデバイスをＡＰと関連付ける、またはｅＮＢと接続可能であるＡＰと関連がある場合、ＯＤＣを行うことを決定することができる。
【０１３５】
さらに、ＯＤＣが行われる可能性があるかどうかをＭＭＥに通知するために、ｅＮＢによって使用されるＳ１−ＡＰ手続きおよび／またはメッセージを、提供し、および／または定義することができる。例えば、既存のＳ１−ＡＰメッセージを使用し、ＭＭＥへのこの指示を含むように変更することができ、および／または、新しいＳ１−ＡＰ手続きおよび／またはメッセージを定義することができる。例えば、一実施形態では、ｅＮＢは、オフロードする決定を単独で行うことができ、および／またはデバイスのオフロードをＭＭＥに通知することができる。ＭＭＥに、ｅＮＢはコンテキストを維持するよう伝えることができる。ｅＮＢは、一例では、デバイスおよびＬＴＥのコンテキストを保持することができ、デバイスがＬＴＥに戻る場合（例えば、ＣＳ通話が終了することがある）、デバイス、ｅＮＢなどを最初から（from scratch）セットアップすることなく再開できるようにする。
【０１３６】
ｅＮＢは、ＯＤＣを行う決定が行われたときはいつでも、このメッセージを送信することができる。そのため、メッセージは、例として、「ＯＤＣアクティブ」または「ＯＤＣ非アクティブ」を示すことができる。ｅＮＢは、決定が採用された理由を示す原因コードを含むことができる。例えば、ｅＮＢは、「ＯＤＣ非アクティブ」を示すことができ、ＡＰ内のエラー、またはＵＥ測定がＷｉＦｉオフロードに好ましくないなどを含］理由を示す原因コードを含むことができる。
【０１３７】
ＯＤＣを行うことを決定した後、ｅＮＢは、システム間変更コマンドおよび／またはメッセージをデバイスに送信することができ、ＯＤＣを行うという指示を含むことができる。システム間変更コマンドおよび／またはメッセージは、ＯＤＣを示すためのＩＥ（例えば、定義された新しいＩＥ）を含むことができるＲＲＣ接続解放メッセージとすることができる。ＩＥは、例として、「ＷｉＦｉオフロードのあるＣＳＦＢ」または「ＷｉＦｉオフロードのないＣＳＦＢ」を示す値を有することができる。したがって、ＩＥがＯＤＣを示す場合、デバイスは、ＷｉＦｉオフロードが完全にアクティブであり、デバイスのＰＳデータがＬＴＥに転送され、デバイスはターゲットシステムのＰＳドメインにアクセスしないことを（例えば、本明細書に記載するいくつかの例外と共に）理解することができる。ｅＮＢがＯＤＣを示さない場合、デバイスは、それがターゲットシステムにアクセスすることがあるとき、ＣＳＦＢのための既存の手続きを行うことができる。
【０１３８】
一例では、システム間変更メッセージは、MobilityFromE-UTRACommandなど、既存のハンドオーバコマンドとすることができる。しかしながら、ＵＥは、ＯＤＣがアクティブであることを知らされる場合、（例えば、動作のネットワークモードにかかわらず）ＳＧＳＮへのシグナリングを行わないことがある（または、行うことを控えることがある）。
【０１３９】
さらに、ｅＮＢは、ＯＤＣに使用されるＡＰの識別情報を含むことができる。これは、例えばＣＳＦＢの要求より前に、オフロードするためにすでに使用されているＡＰに基づくことができる。一例では、選択されるＡＰは、例えば、デバイスによって報告される測定により、または測定に応じて、ＭＭＥまたはデバイスによって推奨される場合がある。
【０１４０】
実施形態では、ｅＮＢは、デバイスがＧＥＲＡＮ／ＵＴＲＡＮにあり、ＯＤＣがアクティブである間、デバイスコンテキストを維持することができる。ｅＮＢは、ＯＤＣ前に使用されていたセキュリティパラメータを維持することができ、デバイスが戻った後に同じパラメータを使用することができる。さらに、ｅＮＢは、例えば、デバイスがＬＴＥに戻ることができると、使用するために、デバイスの割り当てられたＣ−ＲＮＴＩを維持することができる。ｅＮＢは、ユーザプレーンのためにＳＧＷとのそのトンネル接続を維持することができる。例えば、ｅＮＢは、デバイスのためにＳ１ベアラを維持することができる。また、ｅＮＢは、デバイスのためにＭＭＥとのＳ１制御プレーン接続および／またはコンテキストを維持することができる。
【０１４１】
ｅＮＢは、デバイスがＯＤＣを提供し、および／または使用するかどうかを示すことができるフラグを定義し、維持することができる。そのため、ｅＮＢは、デバイスにシステム間変更を行うように通知することができ、ＯＤＣを使用することができるとき、ｅＮＢは、ＯＤＣの使用を示すことができる値にフラグを設定することができる。一例では、デバイスが戻った後、またはＯＤＣが終了した後、ｅＮＢは、このフラグの値を別のように示すように変更することができる。
【０１４２】
ＯＤＣをアクティベートしてＵＥがシステム間変更を行う１または複数のアクションを、本明細書に記載されるように提供し、および／または使用することができる。例えば、デバイスは、ＤＴＭがサポートされないとき、ＧＥＲＡＮが機能することを確認することができ、デバイスがＣＳ通話を開始することができる場合、ＣＳ通話が終了するまで待機することができ、その後、ＷｉＦｉオフロードがサポートされない場合、一時停止されたＰＳ通話を再開することができる。ＷｉＦｉオフロードでは、たとえＣＳ通話が終了されても、ＳＧＳＮにコンタクトをとれないことがある。ＷｉＦｉを通じたオフロードがすでに（例えばＣＳ通話の前に）提供されていることがあり、デバイスが、例えばＷｉＦｉを認識することができるからである。
【０１４３】
例えば、（例えばＯＤＣ指示により）ＷｉＦｉオフロードを用いてシステム間変更を行うために（例えば、オプションではｅＮＢから）指示を受け取ると、デバイスは、次のアクションのうちの１または複数を（例えば、１または複数の組合せまたは順序で）とることができる。デバイスは、それ自身が依然としてEMM-CONNECTEDであるように考えることができ、デバイスは、ＯＤＣ動作中であるかどうかを示すことができるフラグを定義し、使用することができる。そのため、デバイスは、ＯＤＣがアクティブであることを示すように値を設定することができる。一例では、デバイスは、上位層がそれを要求しても、この指示に基づいてさらなるＥＭＭ／ＥＳＭ要求を送信しないことがある。一実施形態では、保留中のＥＳＭ／ＥＭＭ要求に対して、デバイスは、ＯＤＣの値を確認することができる。例えば「ＯＤＣアクティブ」を示すことができる場合、デバイスは、デバイスがＬＴＥに戻ることができるまで、および／またはフラグが「ＯＤＣ非アクティブ」を示すことができるまで、ＮＡＳメッセージを送信しないことがある。
【０１４４】
デバイスは、ＣＳドメイン／ＲＡＴにアクセスすることができ、および／または適切なＭＭ手続きを続けて、システム間変更を促したＣＳサービスを受けることができる。ＭＭ手続きが完了した後、デバイスは、ＯＤＣがアクティブであるので、ＳＧＳＮにＧＭＭメッセージを送信することを控えることができる。したがって、デバイスは、ＯＤＣがアクティブである間、ＲＡＵを送信することを控えることができる。
【０１４５】
一例では、デバイスは、ＲＲＣ構成を維持することができ、ｅＮＢによって示されるようにＷｉＦｉを通じてＰＳデータを受信することおよび送信することを開始することができる。デバイスは、ＡＰとすでに関連付けられていることがあり、ＷｉＦｉを通じて直接オフロードを開始することができる。
【０１４６】
デバイスが、ＡＰと関連付けられていない場合、デバイスは、ｅＮＢによって示されるＡＰに関連付けすることができる。デバイスは、ＡＰを使用して、データを送信し、および／または受信することを開始することができる。関連付けの時間の間、デバイスは、ＧＭＭメッセージをＳＧＳＮに送信することができない。代替的にまたは付加的に、デバイスは、ＡＰとの関連付けを保護することができるタイマを有することができる。タイマが満了した後（例えば、またはよく知られたまたは設定された時間の後）、ＡＰとの関連付けが失敗した場合、デバイスは、ＧＥＲＡＮ／ＵＴＲＡＮのＰＳドメインにアクセスし、および／またはＧＭＭメッセージを送信することができる。
【０１４７】
ＰＳセッションもまた、（例えば、１または複数の組合せまたは順序で）次のうちの１または複数を使用して、ＣＳＦＢ後に（例えば、ＷｉＦｉオフロードと共に）ＬＴＥで再開することができる。例えば、デバイスがそのＣＳサービスを終了した後、デバイスは、ランダムアクセス（ＲＡＣＨ）手続きを行うことができる。しかしながら、デバイスは、ＲＡＣＨ手続きの最後の部分でＮＡＳを送信しないこともある。一例では、ＵＥは、RRCConnectionSetupCompleteメッセージでＮＡＳメッセージを送信することができる。
【０１４８】
一実施形態では、デバイスは、ＲＡＣＨ手続きのメッセージで、ＣＳＦＢから戻ることになるデバイスであり、ＯＤＣをアクティブとすることができることを示すことができる。デバイスは、以前に割り当てられたそのＣ−ＲＮＴＩを示すことができ、ｅＮＢがこの識別情報を使用してデバイスにサービスを提供し続けることができるようにする。
【０１４９】
デバイスは、トラッキングエリア更新をさらに行うことができ、オプションとして、ＮＡＳメッセージ中に新しいＩＥを使用してＣＳＦＢからのそれの復帰を示すことができる。一例では、デバイスは、ＴＡＵメッセージに、ＯＤＣがアクティブであることを示すことができる。これは、ネットワーク（例えば、ＭＭＥ）をトリガして、ＯＤＣを停止する、または変更することができる。
【０１５０】
ＵＥの復帰の指示を受信後、ｅＮＢおよび／またはＭＭＥは、ＯＤＣを停止することを決定することができ、またはＥ−ＵＴＲＡＮを通じてデータパケットの一部を再開することを決定することができる。ＭＭＥは、Ｓ１−ＡＰメッセージをｅＮＢに送信し、ＯＤＣの停止を示すことができる。一例では、これは、ＭＭＥがデバイスから、ＮＡＳメッセージ（例えばＴＡＵ）を受信した後に行われる。ＮＡＳメッセージは、デバイスがＬＴＥに戻ったことを示し、および／またはデバイスがＯＤＣを停止したいことを示すことができる。さらに、ｅＮＢは、ＵＥからのローカルポリシーおよび／または構成により、および／または指示により、またはＭＭＥからの要求により、ＯＤＣを停止することを決定することができる。
【０１５１】
ＭＭＥおよび／またはｅＮＢは、（例えば、上述のように）ＬＴＥからのデバイスがない間、ＰＤＮ  ＧＷによってトリガされた既存のベアラの変更に関連するシグナリングを行うこともできる。さらに、ＯＤＣを停止することが、結果としてＷｉＦｉオフロードの使用が完全に停止されることにならないことがある。むしろ、ＬＴＥ無線を、トラフィックに使用することができ、ｅＮＢは、ＬＴＥ無線を使用して、ＵＥにトラフィックを転送し、および／またはＵＥからトラフィックを受信することができる。
【０１５２】
例として、ＯＤＣを停止することができ、および／またはＧＥＲＡＮ／ＵＴＲＡＮにおけるＰＳセッションを、（例えば、１または複数の組合せおよび／または順序で）次のうちの１または複数を使用して再開することができる。例えば、デバイスは、例えば、ルーティングエリア更新（ＲＡＵ）メッセージにより、ＮＡＳメッセージをＳＧＳＮに送信することができ、および／またはデバイスは、ＯＤＣがアクティブであったことを示すことができる。デバイスはさらに、ＯＤＣを停止したいという要望を示すことができる。
【０１５３】
ＳＧＳＮは、（例えば、ＲＡＵがデバイスから受信された後に）ＧＥＲＡＮ／ＵＴＲＡＮを通じてセッションを再開することができる。ＳＧＳＮは、１つの例ではデバイスのコンテキストをすでにフェッチしていることがある。ＳＧＳＮは、ＧＥＲＡＮ／ＵＴＲＡＮを通じてセッションを再開することをＭＭＥに通知することができる。
【０１５４】
一例によれば、ユーザは、ユーザインタフェースにより、ＯＤＣを停止するよう要求することができる。これは、デバイスをトリガして、例えばＲＡＵまたはSuspendにより、ＮＡＳメッセージをＳＧＳＮに送信させることができる。デバイスは、例えばある時間が経過した後に、ＲＡＵにより、ＮＡＳメッセージをＳＧＳＮに送信することができる。デバイスを、ＯＤＣが許容しうる最大時間で構成することができる。
【０１５５】
デバイスが、ＷｉＦｉを通じてオフロードすることができるＰＳセッションのＱｏＳの低下を観測した場合、デバイスは、例えばＲＡＵにより、ＮＡＳメッセージをＳＧＳＮに送信してＯＤＣを停止することができる。ＷｉＦｉ  ＡＰとのデバイスの接続が失われることがある場合、および／またはＷｉＦｉ  ＡＰから受信される信号強度がある最低限度を下回ることがある場合、デバイスは、例えばＲＡＵにより、ＮＡＳメッセージをＳＧＳＮに送信してＯＤＣを停止することができる。
【０１５６】
デバイスは、ターゲットドメインにおいてセッションを、これがすでに行われていない場合、一時停止することができる。例えば、ＡＰとの接続が失敗することがある場合、または信号強度がある閾値を下回ることがある場合、デバイスは、ＮＡＳメッセージをＳＧＳＮに送信することができ、ここでＮＡＳメッセージは、Suspend（例えば、これがすでに行われていなかった場合）またはＲＡＵなどのメッセージとすることができる。デバイスは、ＳＧＳＮに送信することができる１または複数のＮＡＳメッセージで、ＯＤＣがアクティブであるかどうかを示すことができる。セッションを再開するよう求められる場合、ＳＧＳＮは、ＭＭＥにＧＥＲＡＮ／ＵＴＲＡＮでセッションを再開するよう通知することができる。
【０１５７】
一例では、デバイスは、例えばＲＡＵにより、ＮＡＳメッセージをＳＧＳＮに送信して、ＯＤＣを停止することができる。例えば、ＯＤＣを、ユーザプレーンデータが、設定可能なまたは既知の時間の間、ＷｉＦｉを通じて受信されることがない場合、デバイスがまだＡＰと接続することができても、停止することができる。詳細には、タイマを提供することができ、タイマが満了した後にＷｉＦｉオフロードを停止することができる。このような例では、ＰＳセッションは、ＬＴＥおよび／または別のネットワークに戻ることができる。
【０１５８】
デバイスは、ＷｉＦｉ  ＡＰにオフロードを停止するように示すことができる。この結果、このような能力を実現するためにＭＡＣメッセージなどのＷｉＦｉメッセージへの変更が行われる。デバイスは、ＷｉＦｉ  ＡＰを介して、制御メッセージをｅＮＢに送信することができる。このため、デバイスは、ＷｉＦｉを通じて３ＧＰＰメッセージを送信することができ、ＷｉＦｉ  ＡＰは、メッセージをｅＮＢに転送することができる。デバイスは、ＯＤＣを停止するようにさらに示すことができ、および／またはｅＮＢは、そうすることができる。ＷｉＦｉ  ＡＰは、例えば、デバイスとの接続を失った後、デバイスとの接続が失われたことを、ｅＮＢに示すことができる。これは、ｅＮＢをトリガして、ＯＤＣを停止させることができる。
【０１５９】
一例によれば、ｅＮＢとＭＭＥとの間でメッセージを定義することができ、ＭＭＥは、
ｅＮＢが、ＯＤＣが停止されたことをＭＭＥに通知させることができる。これは、本明細書に（例えば上記に）記載するように、デバイスからの要求によるものであり、または、ＵＥとの接続が失われたというＷｉＦｉ  ＡＰからの指示によるものである。
【０１６０】
ＯＤＣを停止する指示および／または要求を受け取ると、ＭＭＥは、ＰＳセッションを一時停止する、および／または対象のデバイスのためにデータパケットをバッファするようＳＧＷに通知することができる。ＳＧＷは、その結果としてＰＷＧに、対象のデバイスのためにパケットを一時停止し、および／またはバッファするよう要求することができる。デバイスとの接続が失われ、一部のパケットがまだデバイスに送信されていない場合、ｅＮＢは、オプションで、パケットを元のＳＧＷにバッファするために転送することができる。
【０１６１】
一例では、ＭＭＥは、ＯＤＣがアクティブでありながら、ＧＥＲＡＮ／ＵＴＲＡＮを通じてパケットサービスを再開する要求を受信することができる。ＭＭＥデバイスにＯＤＣを停止させることがある他の理由または要因により、またはこれらに応じて行われると、ＭＭＥは、ｅＮＢにＯＤＣを停止するよう通知することができる。これは、Ｓ１−ＡＰメッセージ（例えば、新しい、または既存であるが変更されている）を使用して行われる。したがって、新しいＳ１ＡＰメッセージまたは既存のＳ１ＡＰメッセージへの変更を、ＭＭＥによって提供し、および／または使用して、ｅＮＢにＯＤＣを停止する、開始する、一時停止する、および／または再開するよう通知することができる。さらに、ＯＤＣを停止する要求を受信した後、ｅＮＢは、ＲＲＣ接続解放手続きが実行されたかのように、デバイスのコンテキストを解放することができることを理解されたい。
【０１６２】
用語ＵＥまたはＷＴＲＵが、本明細書で使用されることがあるが、このような用語は交換可能に使用されることが可能であり、したがって、区別できないことがある。
【０１６３】
特徴および要素が特定の組合せで上述されているが、各特徴または要素は、単独で、または他の特徴および要素とのいかなる組合せでも使用されることが可能であることを当業者は理解するであろう。さらに、本明細書に記載された方法は、コンピュータまたはプロセッサにより実行するためにコンピュータ可読媒体に組み込まれたコンピュータプログラム、ソフトウェア、またはファームウェアで実行することができる。コンピュータ可読媒体の例は、（有線接続または無線接続を通じて伝送される）電子信号、およびコンピュータ可読記憶媒体を含む。コンピュータ可読記憶媒体の例には、読み出し専用メモリ（ＲＯＭ）、ランダムアクセスメモリ（ＲＡＭ）、レジスタ、キャッシュメモリ、半導体メモリ素子、内蔵ハードディスクおよびリムーバブルディスクなどの磁気媒体、光磁気媒体、およびＣＤ−ＲＯＭディスクおよびデジタル多用途ディスク（ＤＶＤ）などの光媒体が含まれるが、これらに限定されない。ソフトウェアと関連したプロセッサが使用されて、ＷＴＲＵ、ＵＥ、端末、基地局、ＲＮＣ、またはいずれかのホストコンピュータで使用する無線周波数トランシーバを実行することができる。
【図１Ａ】
2016502783.tif 000003
【図１Ｂ】
2016502783.tif 000004
【図１Ｃ】
2016502783.tif 000005
【図１Ｄ】
2016502783.tif 000006
【図１Ｅ】
2016502783.tif 000007
【図２】
2016502783.tif 000008
【図３】
2016502783.tif 000009
【図４】
2016502783.tif 000010
【図５】
2016502783.tif 000011
【図６】
2016502783.tif 000012
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
回線交換フォールバック（ＣＳＦＢ）中にパケット交換（ＰＳ）サービスを提供するための無線送信／受信ユニット（ＷＴＲＵ）であって、前記ＷＴＲＵは、
デュアル転送モード（ＤＴＭ）またはＰＳハンドオーバ（ＰＳ  ＨＯ）サポートのないネットワークからＧＥＲＡＮへのＣＳＦＢの間に、
前記ＧＥＲＡＮを介したＣＳ音声通話の間、前記ネットワークからＷｉＦｉ接続にＰＳセッションのためのトラフィックをオフロードすることであって、前記ＰＳセッションは、前記ＧＥＲＡＮを介した前記ＣＳ音声通話の間、ＷｉＦｉ上で維持されるように構成されたプロセッサ
を備えたことを特徴とするＷＴＲＵ。
【請求項２】
前記プロセッサは、タイマが満了した後に前記ＷｉＦｉ接続に前記ＰＳセッションをオフロードすることを停止するようにさらに構成されたことを特徴とする請求項１に記載のＷＴＲＵ。
【請求項３】
ＰＳセッションのための前記トラフィックの少なくとも一部は、前記ＣＳ音声通話が終了した後に前記ＷｉＦｉ接続にオフロードされたままであることを特徴とする請求項１に記載のＷＴＲＵ。
【請求項４】
前記プロセッサは、前記ＰＳセッションのための前記トラフィックを前記ＷｉＦｉ接続にオフロードする指示を受信するようにさらに構成されたことを特徴とする請求項１に記載のＷＴＲＵ。
【請求項５】
前記指示は、前記ＣＳ音声通話に応答していることを特徴とする請求項４に記載のＷＴＲＵ。
【請求項６】
前記指示は、拡張サービス要求（ＥＳＲ）に応答していることを特徴とする請求項４に記載のＷＴＲＵ。
【請求項７】
前記プロセッサは、前記ＷｉＦｉの信号強度が閾値未満に低下すると、前記ＰＳセッションを別のネットワークにオフロードするようにさらに構成されたことを特徴とする請求項１に記載のＷＴＲＵ。
【請求項８】
前記ＰＳセッションのアクティブＮＡＳコンテキストは、前記オフロードの間、前記ネットワークで維持されることを特徴とする請求項１に記載のＷＴＲＵ。
【請求項９】
回線交換フォールバック（ＣＳＦＢ）中にパケット交換（ＰＳ）サービスを提供するための無線送信／受信ユニット（ＷＴＲＵ）であって、前記ＷＴＲＵは、
デュアル転送モード（ＤＴＭ）またはＰＳハンドオーバ（ＰＳ  ＨＯ）サポートのないネットワークからＧＥＲＡＮへのＣＳＦＢの間に、
前記ＧＥＲＡＮを介したＣＳ音声通話の間、前記ネットワークからＷｉＦｉ接続にＰＳセッションのためのトラフィックをオフロードすることであって、前記ＰＳセッションは、前記ＧＥＲＡＮを介した前記ＣＳ音声通話の間、ＷｉＦｉ上で維持され、および
タイマが満了した後、前記ＷｉＦｉ接続に前記ＰＳセッションをオフロードすることを停止するように構成されたプロセッサ
を備えたことを特徴とするＷＴＲＵ。
【請求項１０】
前記プロセッサは、前記ＰＳセッションのための前記トラフィックを前記ＷｉＦｉ接続にオフロードする指示を受信するようにさらに構成されたことを特徴とする請求項９に記載のＷＴＲＵ。
【請求項１１】
前記指示は、前記ＣＳ音声通話に応答していることを特徴とする請求項１０に記載のＷＴＲＵ。
【請求項１２】
前記指示は、拡張サービス要求（ＥＳＲ）に応答していることを特徴とする請求項１０に記載のＷＴＲＵ。
【請求項１３】
前記プロセッサは、前記ＷｉＦｉの信号強度が閾値未満に低下すると、前記ＰＳセッションを別のネットワークにオフロードするようにさらに構成されたことを特徴とする請求項９に記載のＷＴＲＵ。
【請求項１４】
前記ＰＳセッションのアクティブＮＡＳコンテキストは、前記オフロードの間、前記ネットワークで維持されることを特徴とする請求項９に記載のＷＴＲＵ。
【請求項１５】
回線交換フォールバック（ＣＳＦＢ）中にパケット交換（ＰＳ）サービスを提供するための無線送信／受信ユニット（ＷＴＲＵ）であって、前記ＷＴＲＵは
ネットワークでＰＳセッションを確立し、
前記ＰＳセッションのためのトラフィックをＷｉＦｉ接続にオフロードする指示を受信し、および
前記指示に基づいて、他のネットワークを介したＣＳ音声通話の間、前記ＰＳセッションのためのトラフィックを前記ＷｉＦｉ接続にオフロードすることであって、前記ＰＳセッションは、前記他のネットワークを介した前記ＣＳ音声通話の間、ＷｉＦｉ上で少なくとも同時に維持されるように構成されたプロセッサ
を備えたことを特徴とするＷＴＲＵ。
【請求項１６】
前記ＰＳセッションのアクティブＮＡＳコンテキストは、前記オフロードの間、前記ネットワークで維持されることを特徴とする請求項１５に記載のＷＴＲＵ。
【請求項１７】
前記指示は、前記ＣＳ音声通話に応答していることを特徴とする請求項１５に記載のＷＴＲＵ。
【請求項１８】
前記指示は、拡張サービス要求（ＥＳＲ）に応答していることを特徴とする請求項１５に記載のＷＴＲＵ。
【請求項１９】
前記プロセッサは、前記ＷｉＦｉの信号強度が閾値未満に低下すると、前記ＰＳセッションを別のネットワークにオフロードするようにさらに構成されたことを特徴とする請求項１５に記載のＷＴＲＵ。
【請求項２０】
前記プロセッサは、タイマが満了した後に前記ＷｉＦｉ接続に前記ＰＳセッションをオフロードすることを停止するようにさらに構成されたことを特徴とする請求項１５に記載のＷＴＲＵ。
【国際調査報告】
2016502783.tif 000013
2016502783.tif 000014
2016502783.tif 000015